(57)【要約】  本発明の実施形態は、モバイル端末アンテナのための制御方法およびモバイル端末を提供する。モバイル端末アンテナのための制御方法およびモバイル端末によって、モバイル端末は、特定のアプリケーションシナリオ、例えば実行する必要があるサービスおよび検知された環境などの情報に従って、通信可能とすべきアンテナの数を判定でき、それによって、モバイル端末の無効化したアンテナの数や通信可能としたアンテナの数を適切に制御し、モバイル端末の性能に影響する不要なエネルギー損失を防ぐ。
2017529808.tif 000002
【特許請求の範囲】
【請求項１】
モバイル端末アンテナのための制御方法であって、
モバイル端末によって、サービスの開始コマンドを取得するステップと、
前記モバイル端末によって、前記開始コマンドに従って、前記サービスのために通信可能とする必要があるアンテナの数を判定するステップと、
前記モバイル端末によって、前記サービスのために通信可能とする必要があるアンテナの前記数となるように前記モバイル端末の通信可能アンテナの数を制御するステップと、
を含む、モバイル端末アンテナのための制御方法。
【請求項２】
モバイル端末によって、サービスの開始コマンドを取得する、前記ステップは、
前記モバイル端末によって、前記サービスのサービス信号を受信するステップであって、前記サービス信号は、前記開始コマンドである、ステップ
を含む、請求項1に記載の制御方法。
【請求項３】
前記モバイル端末によって、ユーザに前記サービスを開始するかどうかの判断を促すステップと、
前記モバイル端末が、予め設定した時間内に前記ユーザが入力した操作指示を受信しない場合、または前記モバイル端末が、前記ユーザが入力し、予め設定した時間内に受信した操作指示が、前記サービスを開始せよとの指示ではないと判定した場合、
前記モバイル端末によって、前記サービス信号を受信する前の数に復帰するように前記モバイル端末の通信可能アンテナの前記数を制御するステップと、
をさらに含む、請求項2に記載の制御方法。
【請求項４】
モバイル端末によって、サービスの開始コマンドを取得する、前記ステップは、
前記モバイル端末によって、前記サービスのサービス信号を受信するステップと、
前記モバイル端末によって、ユーザに前記サービスを開始するかどうかの判断を促すステップと、
前記モバイル端末によって、前記ユーザが入力した操作指示を受信するステップと、
前記モバイル端末によって、前記操作指示が前記サービスを開始せよとの指示であると判定し、次いで前記操作指示を前記開始コマンドとして使用する、ステップと、
を含む、請求項1に記載の制御方法。
【請求項５】
モバイル端末によって、サービスの開始コマンドを取得する、前記ステップは、
前記モバイル端末によって、前記サービスに関連し、かつユーザが入力した操作指示を受信するステップであって、前記サービスに関連する前記操作指示は、前記開始コマンドである、ステップ
を含む、請求項1に記載の制御方法。
【請求項６】
前記モバイル端末によって、前記ユーザに続く操作指示の入力を促すステップと、
前記モバイル端末が、予め設定した時間内に前記ユーザが入力した前記続く操作指示を受信しない場合、または前記モバイル端末が、前記予め設定した時間内に受信した続く操作指示が、前記サービスを開始せよとの指示ではないと判定した場合、
前記モバイル端末によって、サービス信号を受信する前の数に復帰するように前記モバイル端末の通信可能アンテナの前記数を制御するステップと、
をさらに含む、請求項5に記載の制御方法。
【請求項７】
モバイル端末によって、サービスの開始コマンドを取得する、前記ステップは、
前記モバイル端末によって、前記サービスに関連し、かつユーザが入力した操作指示を受信するステップと、
前記モバイル端末によって、前記サービスに関連する前記操作指示に従って、前記ユーザに続く操作指示の入力を促すステップと、
前記モバイル端末によって、前記サービスを開始せよとの続く操作指示を受信し、次いで、前記サービスを開始せよとの前記続く操作指示を前記開始コマンドとして使用する、ステップと、
を含む、請求項1に記載の制御方法。
【請求項８】
前記制御方法は、
前記モバイル端末によって、前記サービスを終了するための情報を受信するステップと、
前記モバイル端末によって、前記サービスを終了し、前記開始コマンドを受信する前の数に復帰するように前記モバイル端末の通信可能アンテナの前記数を制御する、ステップと、
をさらに含む、請求項1から7のいずれか一項に記載の制御方法。
【請求項９】
モバイル端末アンテナのための制御方法であって、
モバイル端末によって、関連情報を取得するステップであって、前記関連情報は、以下の情報、すなわち、前記モバイル端末に関連する環境情報と、前記モバイル端末の関連パラメータと、前記モバイル端末の現在の作業モードとのうちの少なくともいずれかである、ステップと、
前記モバイル端末によって、前記関連情報に従って、通信可能のままとすべきアンテナの数を判定するステップと、
前記モバイル端末によって、前記関連情報に対応するアンテナの前記数となるように前記モバイル端末の通信可能アンテナの数を制御するステップと、
を含む、モバイル端末アンテナのための制御方法。
【請求項１０】
前記モバイル端末によって、前記関連情報に従って、通信可能のままとすべきアンテナの数を判定する、前記ステップの前に、
前記モバイル端末によって、前記関連情報を予め設定した条件と比較し、前記関連情報が前記予め設定した条件を満たすかどうかを判定する、ステップであって、
前記関連情報が、前記端末に関連する前記環境情報であり、前記環境情報が、前記モバイル端末の放射内のユーザである場合、前記予め設定した条件は、予め設定した生体情報であり、
前記環境情報が、前記モバイル端末が置かれるシナリオである場合、前記予め設定した条件は、予め設定した制限シナリオであり、
前記関連情報が、前記端末の前記関連パラメータであり、前記関連パラメータが、前記モバイル端末の放射強度である場合、前記予め設定した条件は、予め設定した放射閾値よりも大きく、
前記関連パラメータが、前記モバイル端末の信号強度である場合、前記予め設定した条件は、予め設定した信号閾値未満であり、
前記関連パラメータが、前記モバイル端末の前記現在の作業モードである場合、前記予め設定した条件は、予め設定した作業モードである、
ステップをさらに含む、請求項9に記載の制御方法。
【請求項１１】
前記環境情報が、前記モバイル端末の前記放射内の前記ユーザである場合、前記制御方法は、
前記モバイル端末によって、第三者装置が送信したユーザ特徴を前記予め設定した生体情報と比較し、前記第三者装置が送信した前記ユーザ特徴が、前記予め設定した生体情報を満たすかどうかを判定する、ステップ、または
前記モバイル端末によって、前記ユーザが入力した操作指示または取得したユーザ情報を解析して、ユーザ特徴を取得する、ステップと、
前記モバイル端末によって、前記ユーザ特徴を前記予め設定した生体情報と比較し、前記ユーザ特徴が、前記予め設定した生体情報を満たすかどうかを判定する、ステップであって、前記ユーザ情報が、前記ユーザによって入力される、または第三者装置によって送信される、ステップと、
前記ユーザ特徴が、前記予め設定した生体情報を満たす場合、前記モバイル端末によって、前記関連情報に従って、通信可能のままとすべきアンテナの前記数を判定するステップと、
をさらに含む、請求項10に記載の制御方法。
【請求項１２】
前記環境情報が、前記モバイル端末が置かれる前記シナリオである場合、前記制御方法は、
前記モバイル端末によって、シナリオ情報を前記予め設定した制限シナリオと比較し、前記シナリオ情報が前記予め設定した制限シナリオを満たすかどうかを判定する、ステップであって、
前記シナリオ情報は、前記モバイル端末上のセンサまたはカメラを用いて取得される、ステップと、
前記シナリオ情報が、前記予め設定した制限シナリオを満たす場合、前記モバイル端末によって、前記関連情報に従って、通信可能のままとすべきアンテナの前記数を判定するステップと、
を含む、請求項10に記載の制御方法。
【請求項１３】
前記関連パラメータが、前記モバイル端末の前記放射強度である場合、前記制御方法は、
前記モバイル端末によって、前記モバイル端末の検出される放射強度を前記予め設定した放射閾値と比較し、前記モバイル端末の前記放射強度が、前記予め設定した放射閾値よりも大きいかどうかを判定する、ステップと、
前記モバイル端末の前記放射強度が、前記予め設定した放射閾値よりも大きい場合、前記モバイル端末によって、前記関連情報に従って、通信可能のままとすべきアンテナの前記数を判定するステップ
をさらに含む、または
前記関連パラメータが、前記モバイル端末の前記信号強度である場合、前記制御方法は、
前記モバイル端末によって、前記モバイル端末の検出される信号強度を前記予め設定した信号閾値と比較し、前記モバイル端末の前記信号強度が、前記予め設定した信号閾値未満であるかどうかを判定する、ステップと、
前記モバイル端末の前記放射強度が、前記予め設定した放射閾値よりも大きい場合、前記モバイル端末によって、前記関連情報に従って、通信可能のままとすべきアンテナの前記数を判定するステップと、
をさらに含む、請求項10に記載の制御方法。
【請求項１４】
前記関連パラメータが、前記モバイル端末の前記現在の作業モードである場合、前記制御方法は、
前記モバイル端末によって、前記モバイル端末の前記現在の作業モードを前記予め設定した動作モードと比較し、前記現在の作業モードが前記予め設定した作業モードを満たすかどうかを判定する、ステップであって、前記現在の作業モードは、前記ユーザによって設定される、または前記モバイル端末の残りの電気量が予め設定した電気量閾値未満であると前記モバイル端末が検出した場合に前記モバイル端末によって設定される、ステップと、
前記モバイル端末の前記現在の作業モードが、前記予め設定した現在の作業モードを満たす場合、前記モバイル端末によって、前記関連情報に従って、通信可能のままとすべきアンテナの前記数を判定するステップと、
をさらに含む、請求項10に記載の制御方法。
【請求項１５】
モバイル端末であって、
サービスの開始コマンドを取得するように構成される取得モジュールと、
前記開始コマンドに従って、前記サービスのために通信可能とする必要があるアンテナの数を判定するように構成される判定モジュールと、
前記サービスのために通信可能とする必要があるアンテナの前記数となるように前記モバイル端末の通信可能アンテナの数を制御するように構成される処理モジュールと、
を備える、モバイル端末。
【請求項１６】
前記取得モジュールが、前記サービスのサービス信号を受信するように特に構成され、前記サービス信号は、前記開始コマンドである、請求項15に記載のモバイル端末。
【請求項１７】
提示モジュールと判断モジュールとをさらに備え、
前記提示モジュールは、ユーザに前記サービスを開始するかどうかの判断を促すように構成され、
予め設定した時間内に前記ユーザが入力した操作指示を前記取得モジュールが受信していないと前記判断モジュールが判定した場合、または前記ユーザが入力し、前記予め設定した時間内に前記取得モジュールが受信した操作指示が、前記サービスを開始せよとの指示ではないと前記判断モジュールが判定した場合、
前記処理モジュールは、前記サービス信号を受信する前の数に復帰するように前記モバイル端末の通信可能アンテナの前記数を制御する、請求項16に記載のモバイル端末。
【請求項１８】
提示モジュールと判断モジュールとをさらに備え、
前記取得モジュールは、前記サービスのサービス信号を受信するようにさらに構成され、
前記提示モジュールは、ユーザに前記サービスを開始するかどうかの判断を促すように構成され、
前記取得モジュールは、前記ユーザが入力した操作指示を受信するように構成され、
前記判断モジュールは、前記操作指示が前記サービスを開始せよとの指示であるかどうかを判定するように構成され、次いで、前記取得モジュールは、前記操作指示を前記開始コマンドとして使用するように特に構成される、請求項15に記載のモバイル端末。
【請求項１９】
前記取得モジュールは、
前記サービスに関連し、かつユーザが入力した操作指示を受信するように特に構成され、前記サービスに関連する前記操作指示は、前記開始コマンドである、請求項15に記載のモバイル端末。
【請求項２０】
提示モジュールと判断モジュールとをさらに備え、
前記提示モジュールは、前記ユーザに続く操作指示の入力を促すように構成され、
予め設定した時間内に前記ユーザが入力した続く操作指示を前記取得モジュールが受信していないと前記判断モジュールが判定した場合、または前記ユーザが入力し、前記予め設定した時間内に続く前記取得モジュールが受信した操作指示が、前記サービスを開始せよとの指示ではないと前記判断モジュールが判定した場合、
前記処理モジュールは、サービス信号を受信する前の数に復帰するように前記モバイル端末の通信可能アンテナの前記数を制御するように構成される、請求項19に記載のモバイル端末。
【請求項２１】
提示モジュールと判断モジュールとをさらに備え、
前記取得モジュールは、前記サービスに関連し、かつユーザが入力した操作指示を受信し、
前記提示モジュールは、前記サービスに関連する前記操作指示に従って、前記ユーザに続く操作指示の入力を促し、
前記判断モジュールは、前記サービスを開始せよとの続く操作指示を前記取得モジュールが受信し、次いで、前記取得モジュールは、前記サービスを開始せよとの前記続く操作指示を前記開始コマンドとして使用すると判定する、請求項15に記載のモバイル端末。
【請求項２２】
前記取得モジュールは、前記サービスを終了するための情報を受信するようにさらに構成され、
前記処理モジュールは、前記サービスを終了し、前記開始コマンドを受信する前の数に復帰するように前記モバイル端末の通信可能アンテナの前記数を制御する、請求項15から21のいずれか一項に記載のモバイル端末。
【請求項２３】
モバイル端末であって、
関連情報を取得するように構成される取得モジュールであって、前記関連情報は、以下の情報、すなわち、前記モバイル端末に関連する環境情報と、前記モバイル端末の関連パラメータと、前記モバイル端末の現在の作業モードとのうちの少なくともいずれかである、取得モジュールと、
前記関連情報に従って、通信可能のままとすべきアンテナの数を判定するように構成される判定モジュールと、
前記関連情報に対応するアンテナの前記数となるように前記モバイル端末の通信可能アンテナの数を制御するように構成される処理モジュールと、
を備える、モバイル端末。
【請求項２４】
前記判定モジュールは、前記関連情報を予め設定した条件と比較し、前記関連情報が、前記予め設定した条件を満たすかどうかを判定するようにさらに構成され、
前記関連情報が、前記端末に関連する前記環境情報であり、前記環境情報が、前記モバイル端末の放射内のユーザである場合、前記予め設定した条件は、予め設定した生体情報であり、
前記環境情報が、前記モバイル端末が置かれるシナリオである場合、前記予め設定した条件は、予め設定した制限シナリオであり、
前記関連情報が、前記端末の前記関連パラメータであり、前記関連パラメータが、前記モバイル端末の放射強度である場合、前記予め設定した条件は、予め設定した放射閾値よりも大きく、
前記関連パラメータが、前記モバイル端末の信号強度である場合、前記予め設定した条件は、予め設定した信号閾値未満であり、
前記関連パラメータが、前記モバイル端末の現在の前記作業モードである場合、前記予め設定した条件は、予め設定した作業モードである、請求項23に記載のモバイル端末。
【請求項２５】
前記環境情報が、前記モバイル端末の放射内のユーザである場合、前記判定モジュールは、
第三者装置が送信したユーザ特徴を前記予め設定した生体情報と比較し、前記第三者装置が送信した前記ユーザ特徴が、前記予め設定した生体情報を満たすかどうかを判定するように特に構成される、または
前記取得モジュールは、前記ユーザが入力した操作指示または取得したユーザ情報を解析して、ユーザ特徴を取得するようにさらに構成され、
前記判定モジュールは、前記ユーザ特徴を前記予め設定した生体情報と比較し、前記ユーザ特徴が、前記予め設定した生体情報を満たすかどうかを判定するようにさらに構成され、前記ユーザ情報が、前記ユーザによって入力される、または第三者装置によって送信され、
前記ユーザ特徴が、前記予め設定した生体情報を満たす場合、前記処理モジュールは、前記関連情報に従って、通信可能のままとすべきアンテナの前記数を判定するように構成される、請求項24に記載のモバイル端末。
【請求項２６】
前記環境情報が、前記モバイル端末が置かれる前記シナリオである場合、前記判定モジュールは、シナリオ情報を前記予め設定した制限シナリオと比較し、前記シナリオ情報が前記予め設定した制限シナリオを満たすかどうか判定するように特に構成され、
前記シナリオ情報は、前記モバイル端末上のセンサまたはカメラを用いて取得され、
前記シナリオ情報が、前記予め設定した制限シナリオを満たす場合、前記処理モジュールは、前記関連情報に従って、通信可能のままとすべきアンテナの前記数を判定するように構成される、請求項24に記載のモバイル端末。
【請求項２７】
前記関連パラメータが、前記モバイル端末の前記放射強度である場合、前記判定モジュールは、前記モバイル端末の検出される放射強度を前記予め設定した放射閾値と比較し、前記モバイル端末の前記放射強度が、前記予め設定した放射閾値よりも大きいかどうかを判定するように特に構成され、
前記モバイル端末の前記放射強度が、前記予め設定した放射閾値よりも大きい場合、前記処理モジュールは、前記関連情報に従って、通信可能のままとすべきアンテナの前記数を判定するように構成され、
前記関連パラメータが、前記モバイル端末の前記信号強度である場合、前記判定モジュールは、前記モバイル端末の検出される信号強度を前記予め設定した信号閾値と比較し、前記モバイル端末の前記信号強度が、前記予め設定した信号閾値未満であるかどうかを判定するように特に構成され、
前記モバイル端末の前記放射強度が、前記予め設定した放射閾値よりも大きい場合、前記処理モジュールは、前記関連情報に従って、通信可能のままとすべきアンテナの前記数を判定するように構成される、請求項24に記載のモバイル端末。
【請求項２８】
前記関連パラメータが、前記モバイル端末の前記現在の作業モードである場合、前記判定モジュールは、前記モバイル端末の前記現在の作業モードを前記作業モードと比較し、前記現在の作業モードが前記予め設定した作業モードを満たすかどうかを判定し、前記現在の作業モードは、前記ユーザによって設定される、または前記モバイル端末の残りの電気量が予め設定した電気量閾値未満であると前記モバイル端末が検出した場合に前記モバイル端末によって設定され、
前記モバイル端末の前記現在の作業モードが、前記予め設定した現在の作業モードを満たす場合、前記処理モジュールは、前記関連情報に従って、通信可能のままとすべきアンテナの前記数を判定するように構成される、請求項24に記載のモバイル端末。
【発明の詳細な説明】
【技術分野】
【０００１】
本発明の実施形態は、通信技術の分野に関し、詳細には、モバイル端末アンテナのための制御方法およびモバイル端末に関する。
【背景技術】
【０００２】
2Gおよび3G技術では、モバイル端末には1本のアンテナが構成されるが、4G LTE（Long Term Evolution）では、モバイル端末には2本のアンテナが構成される。さらに、LTE−Advancedでは、モバイル端末に4本ものアンテナが構成されることもある。通信技術の開発および発展に伴って、将来、モバイル端末に8本またはさらにそれ以上のアンテナ、例えば12本のアンテナまたは16本のアンテナが構成される可能性がある。MIMO（Multiple Input Multiple Output、マルチプル・インプット・マルチプル・アウトプット）技術では、モバイル端末のアンテナの数の増加によって、伝送容量および伝送レートを改善できる。しかしながら、アンテナが多くなると、端末と通信ネットワークエレメントとの間の通信の計算の複雑さもまた増大し、ひいては、より高い電力消費につながる。
【０００３】
具体的には、モバイル端末上で実行される一部のタスクやサービスなどは、多くのアンテナの関与を必要とせず、例えば、セッションサービスを正常に実行するためには、2本のアンテナのみを通信可能とするだけでよい。この場合、モバイル端末上の4本のアンテナを通信可能とすると、モバイル端末の電力消費が過度に高くなる。特に、電力供給をバッテリに頼る電子デバイスであるモバイル端末の場合、不要なアンテナを通信可能とすることで、バッテリの電気が無駄に使われ、ユーザの使用に影響する。
【発明の概要】
【課題を解決するための手段】
【０００４】
本発明の実施形態は、モバイル端末アンテナのための制御方法およびモバイル端末を提供するものであり、これらは、モバイル端末の無効化したアンテナの数や通信可能としたアンテナの数を適切に制御するために使われる。
【０００５】
第1の実施態様によれば、本発明の一実施形態は、モバイル端末アンテナのための制御方法を提供し、
モバイル端末によって、サービスの開始コマンドを取得するステップと、
モバイル端末によって、開始コマンドに従って、サービスのために通信可能とする必要があるアンテナの数を判定するステップと、
モバイル端末によって、サービスのために通信可能とする必要があるアンテナの数となるようにモバイル端末の通信可能アンテナの数を制御するステップと、
を含む。
【０００６】
第1の実施態様に関連して、第1の実施方式では、モバイル端末によって、サービスの開始コマンドを取得するステップは、
モバイル端末によって、サービスのサービス信号を受信するステップであって、サービス信号は、開始コマンドである、ステップ
を含む。
【０００７】
第1の実施態様の第1の実施方式に関連して、第2の実施方式では、本方法は、
モバイル端末によって、ユーザにサービスを開始するかどうかの判断を促すステップと、
モバイル端末が、予め設定した時間内にユーザが入力した操作指示を受信しない場合、またはモバイル端末が、ユーザが入力し、予め設定した時間内に受信した操作指示が、サービスを開始せよとの指示ではないと判定した場合、
モバイル端末によって、サービス信号を受信する前の数に復帰するようにモバイル端末の通信可能アンテナの数を制御するステップと、
をさらに含む。
【０００８】
第1の実施態様に関連して、第3の実施方式では、モバイル端末によって、サービスの開始コマンドを取得するステップは、
モバイル端末によって、サービスのサービス信号を受信するステップと、
モバイル端末によって、ユーザにサービスを開始するかどうかの判断を促すステップと、
モバイル端末によって、ユーザが入力した操作指示を受信するステップと、
モバイル端末によって、操作指示がサービスを開始せよとの指示であるかどうかを判定し、操作指示を開始コマンドとして使用する、ステップと、
を含む。
【０００９】
第1の実施態様に関連して、第4の実施方式では、モバイル端末によって、サービスの開始コマンドを取得するステップは、
モバイル端末によって、サービスに関連し、かつユーザが入力した操作指示を受信するステップであって、サービスに関連する操作指示は、開始コマンドである、ステップ
を含む。
【００１０】
第1の実施態様の第4の実施方式に関連して、第5の実施方式では、本方法は、
モバイル端末によって、ユーザに続く操作指示の入力を促すステップと、
モバイル端末が、予め設定した時間内にユーザが入力した続く操作指示を受信しない場合、またはモバイル端末が、予め設定した時間内に受信した続く操作指示が、サービスを開始せよとの指示ではないと判定した場合、
モバイル端末によって、サービス信号を受信する前の数に復帰するようにモバイル端末の通信可能アンテナの数を制御するステップと、
をさらに含む。
【００１１】
第1の実施態様に関連して、第6の実施方式では、モバイル端末によって、サービスの開始コマンドを取得するステップは、
モバイル端末によって、サービスに関連し、かつユーザが入力した操作指示を受信するステップと、
モバイル端末によって、サービスに関連する操作指示に従って、ユーザに続く操作指示の入力を促すステップと、
モバイル端末によって、サービスを開始せよとの続く操作指示を受信し、次いで、続く操作指示を開始コマンドとして使用するステップと、
を含む。
【００１２】
第1の実施態様から第1の実施態様の第6の実施方式のうちの任意の実施方式に関連して、第7の実施方式では、本制御方法は、
モバイル端末によって、サービスを終了するための情報を受信するステップと、
モバイル端末によって、サービスを終了し、開始コマンドを受信する前の数に復帰するようにモバイル端末の通信可能アンテナの数を制御する、ステップと、
をさらに含む。
【００１３】
第2の実施態様によれば、本発明の一実施形態は、モバイル端末アンテナのための制御方法を提供し、
モバイル端末によって、関連情報を取得するステップであって、関連情報は、以下の情報、すなわち、モバイル端末に関連する環境情報と、モバイル端末の関連パラメータと、モバイル端末の現在の作業モードとのうちの少なくともいずれかである、ステップと、
モバイル端末によって、関連情報に従って、通信可能のままとすべきアンテナの数を判定するステップと、
モバイル端末によって、関連情報に対応するアンテナの数となるようにモバイル端末の通信可能アンテナの数を制御するステップと、
を含む。
【００１４】
第2の実施態様に関連して、第1の実施方式では、モバイル端末によって、関連情報に従って、通信可能のままとすべきアンテナの数を判定するステップの前に、本制御方法は、
モバイル端末によって、関連情報を予め設定した条件と比較し、関連情報が予め設定した条件を満たすかどうかを判定する、ステップであって、
関連情報が、端末に関連する環境情報であり、環境情報が、モバイル端末の放射内のユーザである場合、予め設定した条件は、予め設定した生体情報であり、
環境情報が、モバイル端末が置かれるシナリオである場合、予め設定した条件は、予め設定した制限シナリオであり、
関連情報が、端末の関連パラメータであり、関連パラメータが、モバイル端末の放射強度である場合、予め設定した条件は、予め設定した放射閾値よりも大きく、
関連パラメータが、モバイル端末の信号強度である場合、予め設定した条件は、予め設定した信号閾値未満であり、
関連パラメータが、モバイル端末の現在の作業モードである場合、予め設定した条件は、予め設定した作業モードである、ステップ
をさらに含む。
【００１５】
第2の実施態様の第1の実施方式に関連して、第2の実施方式では、環境情報が、モバイル端末の放射内のユーザである場合、本制御方法は、
モバイル端末によって、第三者装置が送信したユーザ特徴を予め設定した生体情報と比較し、第三者装置が送信したユーザ特徴が、予め設定した生体情報を満たすかどうかを判定する、ステップ、または
モバイル端末によって、ユーザが入力した操作指示または取得したユーザ情報を解析して、ユーザ特徴を取得する、ステップと、
モバイル端末によって、ユーザ特徴を予め設定した生体情報と比較し、ユーザ特徴が、予め設定した生体情報を満たすかどうかを判定する、ステップであって、ユーザ情報が、ユーザによって入力される、または第三者装置によって送信される、ステップと、
ユーザ特徴が、予め設定した生体情報を満たす場合、モバイル端末によって、関連情報に従って、通信可能のままとすべきアンテナの数を判定するステップと、
をさらに含む。
【００１６】
第2の実施態様の第1の実施方式に関連して、第3の実施方式では、環境情報が、モバイル端末が置かれるシナリオである場合、本制御方法は、
モバイル端末によって、シナリオ情報を予め設定した制限シナリオと比較し、シナリオ情報が予め設定した制限シナリオを満たすかどうかを判定する、ステップであって、
シナリオ情報は、モバイル端末上のセンサまたはカメラを用いて取得される、ステップと、
シナリオ情報が、予め設定した制限シナリオを満たす場合、モバイル端末によって、関連情報に従って、通信可能のままとすべきアンテナの数を判定するステップと、
を含む。
【００１７】
第2の実施態様の第1の実施方式に関連して、第4の実施方式では、関連パラメータが、モバイル端末の放射強度である場合、本制御方法は、
モバイル端末によって、モバイル端末の検出される放射強度を予め設定した放射閾値と比較し、モバイル端末の放射強度が、予め設定した放射閾値よりも大きいかどうかを判定する、ステップと、
モバイル端末の放射強度が、予め設定した放射閾値よりも大きい場合、モバイル端末によって、関連情報に従って、通信可能のままとすべきアンテナの数を判定するステップと、
をさらに含み、
関連パラメータが、モバイル端末の信号強度である場合、本制御方法は、
モバイル端末によって、モバイル端末の検出される信号強度を予め設定した信号閾値と比較し、モバイル端末の信号強度が、予め設定した信号閾値未満であるかどうかを判定する、ステップと、
モバイル端末の放射強度が、予め設定した放射閾値よりも大きい場合、モバイル端末によって、関連情報に従って、通信可能のままとすべきアンテナの数を判定するステップと、
をさらに含む。
【００１８】
第2の実施態様の第1の実施方式に関連して、第5の実施方式では、モバイル端末の関連パラメータが、現在の作業モードである場合、本制御方法は、
モバイル端末によって、モバイル端末の現在の作業モードを作業モードと比較し、現在の作業モードが予め設定した作業モードを満たすかどうかを判定する、ステップであって、現在の作業モードは、ユーザによって設定される、またはモバイル端末の残りの電気量が予め設定した電気量閾値未満であるとモバイル端末が検出した場合にモバイル端末によって設定される、ステップと、
モバイル端末の現在の作業モードが、予め設定した現在の作業モードを満たす場合、モバイル端末によって、関連情報に従って、通信可能のままとすべきアンテナの数を判定するステップと、
をさらに含む。
【００１９】
第3の実施態様によれば、本発明の一実施形態は、モバイル端末を提供し、
サービスの開始コマンドを取得するように構成される取得モジュールと、
開始コマンドに従って、サービスのために通信可能とする必要があるアンテナの数を判定するように構成される判定モジュールと、
サービスのために通信可能とする必要があるアンテナの数となるようにモバイル端末の通信可能アンテナの数を制御するように構成される処理モジュールと、
を含む。
【００２０】
第3の実施態様に関連して、第1の実施方式では、取得モジュールは、サービスのサービス信号を受信するように特に構成され、サービスのサービス信号は、開始コマンドである。
【００２１】
第3の実施態様の第1の実施方式に関連して、第2の実施方式では、本モバイル端末は、提示モジュールと判断モジュールとをさらに含み、
提示モジュールは、ユーザにサービスを開始するかどうかの判断を促すように構成され、
予め設定した時間内にユーザが入力した操作指示を取得モジュールが受信していないと判断モジュールが判定した場合、またはユーザが入力し、予め設定した時間内に取得モジュールが受信した操作指示が、サービスを開始せよとの指示ではないと判断モジュールが判定した場合、
処理モジュールは、サービス信号を受信する前の数に復帰するようにモバイル端末の通信可能アンテナの数を制御する。
【００２２】
第3の実施態様に関連して、第3の実施方式では、本モバイル端末は、提示モジュールと判断モジュールとをさらに含み、
取得モジュールは、サービスのサービス信号を受信するようにさらに構成され、
提示モジュールは、ユーザにサービスを開始するかどうかの判断を促すように構成され、
取得モジュールは、ユーザが入力した操作指示を受信するように構成され、
判断モジュールは、操作指示がサービスを開始せよとの指示であるかどうかを判定するように構成され、次いで、取得モジュールは、操作指示を開始コマンドとして使用するように特に構成される。
【００２３】
第3の実施態様に関連して、第4の可能な実施方式では、取得モジュールは、
サービスに関連し、かつユーザが入力した操作指示を受信するように特に構成され、サービスに関連する操作指示は、開始コマンドである。
【００２４】
第3の実施態様の第4の実施方式に関連して、第5の実施方式では、本モバイル端末は、提示モジュールと判断モジュールとをさらに含み、
提示モジュールは、ユーザに続く操作指示の入力を促すように構成され、
予め設定した時間内にユーザが入力した続く操作指示を取得モジュールが受信していないと判断モジュールが判定した場合、またはユーザが入力し、予め設定した時間内に続く取得モジュールが受信した操作指示が、サービスを開始せよとの指示ではないと判断モジュールが判定した場合、
処理モジュールは、サービス信号を受信する前の数に復帰するようにモバイル端末の通信可能アンテナの数を制御するように構成される。
【００２５】
第3の実施態様に関連して、第6の実施方式では、本モバイル端末は、提示モジュールと判断モジュールとをさらに含み、
取得モジュールは、サービスに関連し、かつユーザが入力した操作指示を受信し、
提示モジュールは、サービスに関連する操作指示に従って、ユーザに続く操作指示の入力を促し、
判断モジュールは、サービスを開始せよとの続く操作指示を取得モジュールが受信し、次いで、取得モジュールは、サービスを開始せよとの続く操作指示を開始コマンドとして使用すると判定する。
【００２６】
第3の実施態様から第3の実施態様の第6の実施方式のうちの任意の実施方式に関連して、第7の実施方式では、取得モジュールは、サービスを終了するための情報を受信するようにさらに構成され、
処理モジュールは、サービスを終了し、開始コマンドを受信する前の数に復帰するようにモバイル端末の通信可能アンテナの数を制御する。
【００２７】
第4の実施態様によれば、本発明の一実施形態は、モバイル端末を提供し、
関連情報を取得するように構成される取得モジュールであって、関連情報は、以下の情報、すなわち、モバイル端末に関連する環境情報と、モバイル端末の関連パラメータと、モバイル端末の現在の作業モードとのうちの少なくともいずれかである、取得モジュールと、
関連情報に従って、通信可能のままとすべきアンテナの数を判定するように構成される判定モジュールと、
関連情報に対応するアンテナの数となるようにモバイル端末の通信可能アンテナの数を制御するように構成される処理モジュールと、
を含む。
【００２８】
第4の実施態様に関連して、第1の実施方式では、判定モジュールは、関連情報を予め設定した条件と比較し、関連情報が、予め設定した条件を満たすかどうかを判定するようにさらに構成され、
関連情報が、端末に関連する環境情報であり、環境情報が、モバイル端末の放射内のユーザである場合、予め設定した条件は、予め設定した生体情報であり、
環境情報が、モバイル端末が置かれるシナリオである場合、予め設定した条件は、予め設定した制限シナリオであり、
関連情報が、端末の関連パラメータであり、関連パラメータが、モバイル端末の放射強度である場合、予め設定した条件は、予め設定した放射閾値よりも大きく、
関連パラメータが、モバイル端末の信号強度である場合、予め設定した条件は、予め設定した信号閾値未満であり、
関連パラメータが、モバイル端末の現在の作業モードである場合、予め設定した条件は、予め設定した作業モードである。
【００２９】
第4の実施態様の第1の実施方式に関連して、第2の実施方式では、環境情報が、モバイル端末の放射内のユーザである場合、次いで、判定モジュールは、
第三者装置が送信したユーザ特徴を予め設定した生体情報と比較し、第三者装置が送信したユーザ特徴が、予め設定した生体情報を満たすかどうかを判定するように特に構成される、または
取得モジュールは、ユーザが入力した操作指示または取得したユーザ情報を解析して、ユーザ特徴を取得するようにさらに構成され、
判定モジュールは、ユーザ特徴を予め設定した生体情報と比較し、ユーザ特徴が、予め設定した生体情報を満たすかどうかを判定するようにさらに構成され、ユーザ情報が、ユーザによって入力される、または第三者装置によって送信され、
ユーザ特徴が、予め設定した生体情報を満たす場合、処理モジュールは、関連情報に従って、通信可能のままとすべきアンテナの数を判定するように構成される。
【００３０】
第4の実施態様の第1の実施方式に関連して、第3の実施方式では、環境情報が、モバイル端末が置かれるシナリオであり、判定モジュールが、シナリオ情報を予め設定した制限シナリオと比較し、シナリオ情報が予め設定した制限シナリオを満たすかどうか判定するように特に構成される場合、
シナリオ情報は、モバイル端末上のセンサまたはカメラを用いて取得され、
シナリオ情報が、予め設定した制限シナリオを満たす場合、処理モジュールは、関連情報に従って、通信可能のままとすべきアンテナの数を判定するように構成される。
【００３１】
第4の実施態様の第1の実施方式に関連して、第4の実施方式では、関連パラメータが、モバイル端末の放射強度である場合、判定モジュールは、モバイル端末の検出される放射強度を予め設定した放射閾値と比較し、モバイル端末の放射強度が、予め設定した放射閾値よりも大きいかどうかを判定するように特に構成され、
モバイル端末の放射強度が、予め設定した放射閾値よりも大きい場合、処理モジュールは、関連情報に従って、通信可能のままとすべきアンテナの数を判定するように構成され、
関連パラメータが、モバイル端末の信号強度である場合、判定モジュールは、モバイル端末の検出される信号強度を予め設定した信号閾値と比較し、モバイル端末の信号強度が、予め設定した信号閾値未満であるかどうかを判定するように特に構成され、
モバイル端末の放射強度が、予め設定した放射閾値よりも大きい場合、処理モジュールは、関連情報に従って、通信可能のままとすべきアンテナの数を判定するように構成される。
【００３２】
第4の実施態様の第1の実施方式に関連して、第5の実施方式では、関連パラメータが、モバイル端末の現在の作業モードである場合、判定モジュールは、モバイル端末の現在の作業モードを作業モードと比較し、現在の作業モードが予め設定した作業モードを満たすかどうかを判定し、現在の作業モードは、ユーザによって設定される、またはモバイル端末の残りの電気量が予め設定した電気量閾値未満であるとモバイル端末が検出した場合にモバイル端末によって設定され、
モバイル端末の現在の作業モードが、予め設定した現在の作業モードを満たす場合、処理モジュールは、関連情報に従って、通信可能のままとすべきアンテナの数を判定するように構成される。
【００３３】
本発明の実施形態において提供されるモバイル端末アンテナを制御するための方法およびモバイル端末によって、サービスの開始コマンドまたは関連情報を受信すると、モバイル端末が通信可能とすべきアンテナの数が判定され、モバイル端末上の通信可能アンテナの数が柔軟に変更され、それによって、モバイル端末上の通信可能アンテナの数がサービスを実行するための要件を満たすことができない事態を防ぎ、不要なエネルギー損失を引き起こす、モバイル端末上の通信可能アンテナの数が過度となる事態も防ぎ、さらにモバイル端末上の通信可能アンテナの数が、周囲に悪影響を与えたり、モバイル端末の電気を過度に早く消費してモバイル端末の性能に影響を及ぼしたりするのをさらに防ぐことができる。
【図面の簡単な説明】
【００３４】
【図１】本発明の一実施形態による、アプリケーションシナリオの概略図である。
【図２】本発明による、モバイル端末アンテナのための制御方法の実施形態1の流れ図である。
【図３】本発明による、モバイル端末アンテナのための制御方法の実施形態2の流れ図である。
【図４】本発明による、モバイル端末アンテナのための制御方法の実施形態3の流れ図である。
【図５】本発明による、モバイル端末アンテナのための制御方法の実施形態4の流れ図である。
【図６】本発明による、モバイル端末アンテナのための制御方法の実施形態5の流れ図である。
【図７】本発明による、モバイル端末アンテナのための制御方法の実施形態6の流れ図である。
【図８】本発明による、モバイル端末アンテナのための制御方法の実施形態7の流れ図である。
【図９】本発明によるモバイル端末の実施形態1の構造図である。
【図１０】本発明によるモバイル端末の実施形態2の構造図である。
【図１１】本発明によるモバイル端末の実施形態3の構造図である。
【図１２】本発明によるモバイル端末の実施形態4の構造図である。
【発明を実施するための形態】
【００３５】
本発明の実施形態の目的、解決策、および利点をより明確にするために、以下、本発明の実施形態における添付の図面を参照しながら、本発明の実施形態における技術的解決策を明確かつ十分に説明する。当然のことながら、説明される実施形態は、本発明の実施形態の一部に過ぎず、すべてではない。本発明の実施形態に基づいて、当業者によって創造的努力なしに得られるすべての他の実施形態は、本発明の保護範囲内に含まれるものとする。
【００３６】
図1は、本発明の一実施形態による、アプリケーションシナリオの概略図である。図1に示すように、本実施形態は、4G LTE、LTE−Advanced、およびMIMOなどの技術が使用され、かつモバイル端末（携帯電話やタブレットなど）上に一般的に配置されるアンテナの数が、少なくとも2つである、通信ネットワークに適用される。それに応じて、モバイル端末に通信サービスを提供するネットワークエレメント（基地局など）上に複数のアンテナが設けられる。例えば、N本のアンテナがモバイル端末上に配置され、ここで、Nは、少なくとも2以上の正の整数であり、またM本のアンテナが基地局上に配置され、ここで、Mは、少なくとも2以上の正の整数である場合、通信ネットワーク上のモバイル端末は、データストリームを送信するために、N本のアンテナを使用して、基地局のM本のアンテナと通信できる。モバイル端末がなんらかのサービスを実行する場合、1本のアンテナのみを通信可能とすることによって、サービス要件を満たすことができ、複数のアンテナを使用することで通信性能をある程度改善できるが、複数のアンテナを通信に関与させることで、通信の複雑さが増し、モバイル端末の電力消費が高くなり、ユーザがモバイル端末を使う際にユーザに不都合をもたらし、あるいは一部のケースでは、モバイル端末が複数のアンテナを通信可能としたために、モバイル端末付近の人やデバイスに過度の電磁放射がもたらされることが理解されよう。したがって、モバイル端末は、通信可能としたアンテナの数を適切に制御する必要があり、具体的な制御方式は、以下のとおりである。
【００３７】
図2は、本発明による、モバイル端末アンテナのための制御方法の実施形態1の流れ図である。図2に示すように、図1を参照してもよいが、本実施形態は、モバイル端末によって実行され、モバイル端末は、具体的には、携帯電話やタブレットなどである。本制御方法は、以下を特に含む。
【００３８】
S101：モバイル端末は、サービスの開始コマンドを取得する。
【００３９】
開始コマンドは、サービスのサービス信号であってよく、例えば、モバイル端末を使用するユーザがビデオプッシュサービスに加入した場合、ビデオサーバは、ビデオコンテンツをモバイル端末に定期的に送信するが、この場合、モバイル端末がビデオストリーム信号を受信した場合、ビデオストリーム信号は、開始コマンドとして使用されるサービス信号である。
【００４０】
あるいは、開始コマンドは、ユーザが入力した操作指示であってよく、操作指示は、サービスを実行するようにモバイル端末に指示するために使用され、例えば、ユーザが、モバイル端末のディスプレイ上の「ラジオ」アイコンをタップした場合、モバイル端末が受信したサービス開始コマンドは、操作指示「ラジオサービスを開始する」である。
【００４１】
S102：モバイル端末は、開始コマンドに従って、サービスのために通信可能とする必要があるアンテナの数を判定する。
【００４２】
モバイル端末が、開始コマンドに従って、現在実行する特定のサービスに関して確認し、それによって、開始するサービスで必要とされるアンテナの数を判定できる。例えば、モバイル端末が、現時点で4本のアンテナを通信可能とするが、この時、着信通知メッセージを受信した場合、モバイル端末は、実行するサービスがセッションサービスであると判定し、モバイル端末は、ネットワークの設定またはモバイル端末の能力に従って、セッションサービスの要件を満たすためには、1本（モバイル端末が2Gネットワーク上にある場合）または2本（モバイル端末がLTEネットワーク上にある場合）のアンテナを通信可能とする必要があると判定し、次いで、不要な通信可能アンテナを無効化してよい、すなわち、以下のS103がさらに行われる。
【００４３】
S103：モバイル端末は、サービスのために通信可能とする必要があるアンテナの数となるようにモバイル端末の通信可能アンテナの数を制御する。
【００４４】
S103を行う時または行った後、モバイル端末は、サービスを実行し始め、続いて、モバイル端末がサービスを終了するための情報を受信した場合、モバイル端末は、サービスを終了し、開始コマンドを受信する前の数に復帰するようにモバイル端末の通信可能アンテナの数を制御することにさらに留意されたい。
【００４５】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【００４６】
図3は、本発明による、モバイル端末アンテナのための制御方法の実施形態2の流れ図である。図3に示すように、本実施形態では、サービスの開始コマンドは、サービスのサービス信号であり、この場合、具体的なプロセスは、以下のとおりである。
【００４７】
S201：モバイル端末は、サービスのサービス信号を受信する。
【００４８】
S202：モバイル端末は、サービスのサービス信号に従って、サービスのために通信可能とする必要があるアンテナの数を判定する。
【００４９】
セッションサービスにおける着信通知メッセージがサービス信号として使用される例を用いて説明を行う。モバイル端末が着信通知メッセージを受信した場合、モバイル端末は、セッションサービスがこれから実行され、現在、モバイル端末が2Gネットワーク上に陣取っていることを確認し、この場合、モバイル端末は、1本のアンテナのみを通信可能とすることによってセッションサービスの要件を満たすことができ、したがって、モバイル端末は、S202を用いて、1本のアンテナを通信可能とすることを判定し、モバイル端末が、LTEネットワーク上に陣取っており、LTEネットワークに対応している場合、モバイル端末は、
2本のアンテナのみを通信可能とすることによってセッションサービスの要件を満たすことができ、したがって、モバイル端末は、S202を用いて、2本のアンテナを通信可能とすることを判定する。
【００５０】
S203：モバイル端末は、サービスのために通信可能とする必要があるアンテナの数となるようにモバイル端末の通信可能アンテナの数を制御する。
【００５１】
例えば、モバイル端末が、現時点で4本のアンテナを通信可能とするが、S202を用いて、通信可能とする必要があるアンテナの数は2本であると判定し、
次いで、S203において、モバイル端末は、2本のアンテナを無効化して、2本の通信可能アンテナを保持する。
【００５２】
サービス信号が、モバイル端末が加入しているプッシュサービスに従って、ビデオサーバがモバイル端末に送信したビデオストリーム信号である場合、モバイル端末は、S201からS203を用いて、ビデオサービスで必要とされるアンテナを通信可能とし、次いで、モバイル端末は、ビデオストリームを直接受信し、かつ再生する、すなわち、サービスを直接実行し、以下のS204からS209は行われないことがあることが理解されよう。しかしながら、ユーザ経験を改善するために、モバイル端末は、ユーザにサービスを開始するかどうかの判断を促す、例えば、サービス信号が着信通知メッセージである場合、モバイル端末は、「応答」および「拒否」などのオプションをディスプレイ上に表示して、ユーザにセッションサービスを開始するかどうかの判断を促す、すなわち、本実施形態では、以下のS204からS209を行う必要が依然としてある。
【００５３】
S204：モバイル端末は、ユーザにサービスを開始するかどうかの判断を促す。
【００５４】
S205：モバイル端末は、予め設定した時間内にユーザが入力した操作指示を受信したかどうかを判定し、受信していれば、S206を行い、受信していなければ、S209を行う。
【００５５】
ユーザが携帯電話をハンドバッグの中に入れており、着信していることに気づいていない、またはユーザがモバイル端末の近くにおらず、操作指示を適時入力できない場合、モバイル端末は、ユーザが操作指示を入力するのをいつまでも待ち続けることができないため、モバイル端末は、操作指示が予め設定した時間内に受信されたかどうかを判定する必要がある。
【００５６】
S206：モバイル端末は、受信した操作指示がサービスを開始せよとの指示である場合、S207を行い、そうでない場合、S209を行う。
【００５７】
「応答」および「拒否」などのオプションは、モバイル端末のディスプレイ上に表示される。ユーザが「応答」をタップした場合、モバイル端末は、ユーザがサービスを開始せよとの操作指示を入力したと判定する、またはユーザが「拒否」をタップした場合、モバイル端末は、ユーザがサービスを開始するためには使われない操作指示を入力したと判定する、すなわち、セッションサービスは開始される前に終了され、したがって、S209が行われる。
【００５８】
S207：モバイル端末は、サービスを実行する。
【００５９】
S208：モバイル端末は、サービスを終了するための情報を受信する。
【００６０】
例えば、モバイル端末がビデオストリームにおけるビデオデータの最後の部分を受信すると、ビデオサービスが終了する、またはユーザが通話を終了する場合に「切断」のオプションをタップすると、セッションサービスが終了する。
【００６１】
S209：モバイル端末は、サービス信号を受信する前の数に復帰するようにモバイル端末の通信可能アンテナの数を制御する。
【００６２】
S205において、ユーザが入力した操作指示が予め設定した時間内に受信されなかったとモバイル端末が判定した場合、サービスが実行される前に終了したとみなされ得、S206において、受信した操作指示がサービスを開始するためには使われない指示であるとモバイル端末が判定した場合、サービスが実行される前に終了したと同様にみなされ得、S208において、モバイル端末は、サービスを終了するための情報を受信する。したがって、ユーザが入力した操作指示が予め設定した時間内に受信されなかったとモバイル端末が判定した場合、または受信した操作指示がサービスを開始するためには使われない指示であるとモバイル端末が判定した場合、またはモバイル端末がサービスを実行し始めた後、モバイル端末は、サービスを終了するための情報を受信し、S209において、サービスを終了し、サービス信号を受信する前の数に復帰するようにモバイル端末の通信可能アンテナの数を制御するとみなされ得る。
【００６３】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【００６４】
図4は、本発明による、モバイル端末アンテナのための制御方法の実施形態3の流れ図である。図4に示すように、本実施形態では、サービスの開始コマンドは、操作指示であり、この場合、具体的なプロセスは、以下のとおりである。
【００６５】
S301：モバイル端末は、サービスに関連し、かつユーザが入力した操作指示を受信する。
【００６６】
S302：モバイル端末は、サービスに関連する操作指示に従って、サービスのために通信可能とする必要があるアンテナの数を判定する。
【００６７】
例えば、S301において、ユーザが「ラジオ」アイコンをタップした場合、モバイル端末は、ラジオサービスの視聴に関連し、ユーザが入力した操作指示を受信する、またはユーザが「電話」app（application、アプリケーション）アイコンおよび「連絡先」appアイコンをタップした場合、モバイル端末は、セッションサービスに関連する操作指示を受信し、次いでモバイル端末はサービスを実行し始める。したがって、本実施形態では、サービスに関連する操作指示は、開始コマンドであり、次いで、S302において、モバイル端末は、サービスに関連する操作指示に従って、サービスのために通信可能とする必要があるアンテナの数を判定する。
【００６８】
S303：モバイル端末は、サービスのために通信可能とする必要があるアンテナの数となるようにモバイル端末の通信可能アンテナの数を制御する。
【００６９】
ユーザが「連絡先」appをタップする例を用いると、モバイル端末は、S302を用いて、実行するサービスがセッションサービスであると判定するが、S302を用いて、セッションサービスのために通信可能とする必要があるアンテナの数が2本であると判定し、次いで、S303において、モバイル端末は、2本のアンテナを無効化して、2本の通信可能アンテナを保持する。
【００７０】
サービスに関連する操作指示が「ラジオ」appをタップすることである場合、モバイル端末は、S301からS303を用いて、ラジオサービスを視聴するために要求されるアンテナを通信可能とし、サービスを直接実行し、以下のS304からS309は行わないことが理解されよう。一部のサービスについては、ユーザ経験を改善するために、またはユーザが入力した操作指示がユーザが誤って押したことによるものであることを避けるために、サービスを実行する前に、モバイル端末は、続く操作指示を受信して、ユーザがサービスの開始を決定していると判定する必要がさらにある。例えば、ユーザが「連絡先」appアイコンをタップした後、モバイル端末は、複数の連絡先オプションと「戻る」オプションをユーザに表示し、モバイル端末は、連絡先の次に表示され連絡先のオプションに対応するダイヤルオプションをユーザがさらにタップするまでは、ユーザがセッションサービスの開始を決定したとは確認しない、またはユーザが「戻る」オプションを選択した場合、これは、ユーザがセッションサービスを開始しないと決定したことを示す。S304からS309に詳細を示す。
【００７１】
S304：モバイル端末は、ユーザに続く操作指示の入力を促す。
【００７２】
S305：モバイル端末は、予め設定した時間内にユーザが入力した続く操作指示を受信したかどうかを判定し、受信した場合、S306を行い、受信しなかった場合、S309を行う。
【００７３】
ユーザが気づかずに誤ってアイコンを押し、場合にユーザが続く操作指示を適時入力できない場合、モバイル端末は、ユーザが続く操作指示を入力するのをいつまでも待ち続けることができないため、モバイル端末は、続く操作指示が予め設定した時間内に受信されたかどうかを判定する必要がある。
【００７４】
S306：モバイル端末は、受信した続く操作指示がサービスを開始せよとの指示であるかどうかを判定し、そうである場合、S307を行い、そうでない場合、S309を行う。
【００７５】
複数の連絡先オプションおよび連絡先オプションに対応するダイヤルオプションが、モバイル端末のディスプレイ上に表示される一方、「戻る」および「ブラックリストに追加」などのオプションもある。ユーザが「ダイヤル」オプションをタップした場合、モバイル端末は、ユーザがサービスを開始せよとの続く操作指示を入力したと判定する、またはユーザが「戻る」または「ブラックリストに追加」などのオプションをタップした場合、モバイル端末は、ユーザがサービスを開始するためには使われない続く操作指示を入力したと判定する、すなわち、セッションサービスは開始される前に終了され、したがって、S309が行われる。
【００７６】
S307：モバイル端末は、サービスを実行する。
【００７７】
S308：モバイル端末は、サービスを終了するための情報を受信する。
【００７８】
具体的には、S208を参照されたい。
【００７９】
S309：モバイル端末は、操作指示を受信する前の数に復帰するようにモバイル端末の通信可能アンテナの数を制御する。
【００８０】
S305において、ユーザが入力した続く操作指示が予め設定した時間内に受信されなかったとモバイル端末が判定した場合、サービスが実行される前に終了したとみなされ得、S306において、受信した続く操作指示がサービスを開始するためには使われない指示であるとモバイル端末が判定した場合、サービスが実行される前に終了したと同様にみなされ得、S308において、モバイル端末は、サービスを終了するための情報を受信する。したがって、ユーザが入力した操作指示が予め設定した時間内に受信されなかったとモバイル端末が判定した場合、または受信した操作指示がサービスを開始するためには使われない指示であるとモバイル端末が判定した場合、またはモバイル端末がサービスを実行し始めた後、モバイル端末は、サービスを終了するための情報を受信し、S309において、サービスを終了し、サービス信号を受信する前の数に復帰するようにモバイル端末の通信可能アンテナの数を制御するとみなされ得る。
【００８１】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要な電力消費を引き起こしモバイル端末の性能に影響を及ぼす、モバイル端末上の通信可能アンテナの数が過度となる事態も防ぐ。
【００８２】
上記実施形態では、受信したサービス信号またはサービスに関連する操作指示は、開始コマンドとして使用される。一部のケースでは、モバイル端末がサービス信号またはサービスに関連する操作指示を受信した場合、モバイル端末は、サービスの実行を準備するだけであって、直ちにサービスを実行することはしないけれども、ユーザにサービスを効率よく提供するためには、モバイル端末は、実行するサービスのために通信可能とする必要があるアンテナの数となるようにモバイル端末の通信可能アンテナの数を依然として直ちに制御する。しかしながら、一部のケースでは、サービスに関連する操作指示がユーザが誤って押した結果であったり、サービス信号を受信したが、ユーザがすぐに指示を出せない場合、すなわち、モバイル端末が予め設定した時間内に操作指示を受信しない場合、モバイル端末は、開始コマンドを受信する前の数に通信可能アンテナの数を復帰するように制御される必要がある。このプロセスでは、モバイル端末において、通信可能とする／オフにするという不要な制御が生じる。モバイル端末によってアンテナを通信可能とする／オフにするという制御は、オーバーヘッドも必要とし、通信可能とする／オフにするという不要な制御は、オーバーヘッドの浪費を生じ、したがって、好ましくは、アンテナを通信可能とする／オフにするという制御は、図5または図6に示す実施形態を用いてさらに行われてよい。
【００８３】
図5は、本発明による、モバイル端末アンテナのための制御方法の実施形態4の流れ図である。図5に示すように、本実施形態は、以下を含む。
【００８４】
S401：モバイル端末は、サービスのサービス信号を受信する。
【００８５】
S402：モバイル端末は、ユーザにサービスを開始するかどうかの判断を促す。
【００８６】
S403：モバイル端末は、予め設定した時間内にユーザが入力した操作指示を受信したかどうかを判定し、受信した場合、S404を行い、受信しなかった場合、プロセスを終了する。
【００８７】
着信通知メッセージをサービス信号の例として用いると、ユーザが携帯電話をハンドバッグの中に入れており、着信していることに気づいていない、またはユーザがモバイル端末の近くにおらず、操作指示を適時入力できない場合、モバイル端末は、ユーザが操作指示を入力するのをいつまでも待ち続けることができないため、モバイル端末は、操作指示が予め設定した時間内に受信されたかどうかを判定する必要がある。
【００８８】
S404：モバイル端末は、受信した操作指示がサービスを開始せよとの指示であるかどうかを判定し、そうである場合、S405を行い、そうでない場合、プロセスを終了する。
【００８９】
「応答」および「拒否」などのオプションは、モバイル端末のディスプレイ上に表示される。ユーザが「応答」をタップした場合、モバイル端末は、ユーザがサービスを開始せよとの操作指示を入力したと判定する、またはユーザが「拒否」をタップした場合、モバイル端末は、ユーザがサービスを開始するためには使われない操作指示を入力したと判定する、すなわち、セッションサービスは開始される前に終了され、本実施形態は終了する。
【００９０】
S405：モバイル端末は、操作指示を開始コマンドとして使用し、開始コマンドに従って、サービスのために通信可能とする必要があるアンテナの数を判定する。
【００９１】
すなわち、モバイル端末は、予め設定した時間内に受信した操作指示がサービスを開始せよとの指示であると判定し、次いで、操作指示を開始コマンドとして使用する。
【００９２】
S406：モバイル端末は、サービスのために通信可能とする必要があるアンテナの数となるようにモバイル端末の通信可能アンテナの数を制御する。
【００９３】
S406を行う場合、モバイル端末は、サービスを同時に行う。
【００９４】
S407：モバイル端末は、サービスを終了するための情報を受信する。
【００９５】
S408：モバイル端末は、開始コマンドを受信する前の数に復帰するようにモバイル端末の通信可能アンテナの数を制御する。
【００９６】
同時に、モバイル端末は、サービスを終了する。
【００９７】
本実施形態では、サービス信号を受信した場合、通信可能としたアンテナの数は直ちに変更されない。ユーザが入力した、サービスを開始せよとの操作指示を受信した場合、サービスを開始せよとの操作指示が開始コマンドとして使用される。他のステップは、図3に示す実施形態における対応するステップと同様である。詳細については、図3に示す実施形態における対応するステップを参照できる。本実施形態では、サービスを開始するための操作指示を開始コマンドとして使用し、このことにより、アンテナを通信可能とする／オフにする不要なオーバーヘッドを避けることができる。
【００９８】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要な電力消費を引き起こしモバイル端末の性能に影響を及ぼす、モバイル端末上の通信可能アンテナの数が過度となる事態も防ぐ。
【００９９】
図6は、本発明による、モバイル端末アンテナのための制御方法の実施形態5の流れ図である。図6に示すように、本実施形態は、以下を含む。
【０１００】
S501：モバイル端末は、サービスに関連し、かつユーザが入力した操作指示を受信する。
【０１０１】
S502：モバイル端末は、サービスに関連する操作指示に従って、ユーザに続く操作指示の入力を促す。
【０１０２】
S503：モバイル端末は、予め設定した時間内にユーザが入力した続く操作指示を受信したかどうかを判定し、受信した場合、S504を行い、受信しなかった場合、プロセスを終了する。
【０１０３】
ユーザが気づかずに誤ってアイコンを押し、場合にユーザが続く操作指示を適時入力できない場合、モバイル端末は、ユーザが続く操作指示を入力するのをいつまでも待ち続けることができないため、モバイル端末は、続く操作指示が予め設定した時間内に受信されたかどうかを判定する必要があり、そうである場合、S504を行い、そうでない場合、プロセスを終了する。
【０１０４】
S504：モバイル端末は、受信した続く操作指示がサービスを開始せよとの指示であるかどうかを判定し、そうである場合、S505を行い、そうでない場合、プロセスを終了する。
【０１０５】
複数の連絡先オプションおよび連絡先オプションに対応するダイヤルオプションが、モバイル端末のディスプレイ上に表示される一方、「戻る」および「ブラックリストに追加」などのオプションもある。ユーザが「ダイヤル」オプションをタップした場合、モバイル端末は、ユーザがサービスを開始せよとの続く操作指示を入力したと判定する、またはユーザが「戻る」または「ブラックリストに追加」などのオプションをタップした場合、モバイル端末は、ユーザがサービスを開始するためには使われない続く操作指示を入力したと判定し、本実施形態を終了する。
【０１０６】
S505：モバイル端末は、サービスを開始するために続く操作指示を開始コマンドとして使用し、開始コマンドに従って、サービスのために通信可能とする必要があるアンテナの数を判定する。
【０１０７】
モバイル端末は、サービスを開始せよとの続く操作指示を受信し、したがって、サービスを開始せよとの続く操作指示を開始コマンドとして使用する。
【０１０８】
S506：モバイル端末は、サービスのために通信可能とする必要があるアンテナの数となるようにモバイル端末の通信可能アンテナの数を制御する。
【０１０９】
同時に、サービスが実行される。
【０１１０】
S507：モバイル端末は、サービスを終了するための情報を受信する。
【０１１１】
S508：モバイル端末は、開始コマンドを受信する前の数に復帰するようにモバイル端末の通信可能アンテナの数を制御する。
【０１１２】
同時に、モバイル端末は、サービスを終了する。
【０１１３】
図4に示す実施形態と比べ、本実施形態では、サービスに関連する操作指示を受信した場合、通信可能としたアンテナの数は直ちに変更されない。ユーザが入力した、サービスを開始せよとの続く操作指示を受信した場合、サービスを開始せよとの操作指示が開始コマンドとして使用される。他のステップは、図4に示す実施形態における対応するステップと同様である。詳細については、図4に示す実施形態における対応するステップを参照できる。本実施形態では、サービスを開始するための続く操作指示を開始コマンドとして使用し、このことにより、アンテナを通信可能とする／オフにする不要なオーバーヘッドを避けることができる。
【０１１４】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【０１１５】
図7は、本発明による、モバイル端末アンテナのための制御方法の実施形態6の流れ図である。図7に示すように、本実施形態は、以下を含む。
【０１１６】
S601：モバイル端末は、関連情報を取得する。
【０１１７】
関連情報は、以下の情報、すなわち、モバイル端末に関連する環境情報と、モバイル端末の関連パラメータと、モバイル端末の現在の作業モードとのうちの少なくともいずれかである。
【０１１８】
S602：モバイル端末は、関連情報に従って、通信可能のままとすべきアンテナの数を判定する。
【０１１９】
具体的には、モバイル端末が取得した関連情報が関連パラメータであり、関連パラメータは、モバイル端末の放射が過度であることを示し、これは、ユーザに悪影響を容易に与える。したがって、一部のアンテナを無効化することによって、放射を減らす必要がある。例えば、モバイル端末が、現在4本のアンテナを通信可能とし、モバイル端末の過度の放射を引き起こしている場合、S602を用いて、通信可能のままとするべきアンテナの数は2本であると判定し、したがって、S603を用いて、2本のアンテナを無効化する。
【０１２０】
S603：モバイル端末は、関連情報に対応するアンテナの数となるようにモバイル端末の通信可能アンテナの数を制御する。
【０１２１】
本実施形態では、モバイル端末は、関連情報に従って、通信可能のままとすべきアンテナの数を判定し、かつモバイル端末上の通信可能アンテナの数を柔軟に変更し、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１２２】
図8は、本発明による、モバイル端末アンテナのための制御方法の実施形態7の流れ図である。図8に示すように、図7に示す実施形態に基づいて、本実施形態は、さらに詳細な説明を提供するものであり、具体的には、以下を含む。
【０１２３】
S701：モバイル端末は、関連情報を取得する。
【０１２４】
S702：モバイル端末は、関連情報を予め設定した条件と比較し、関連情報が予め設定した条件を満たすかどうかを判定し、満たす場合、S703を行い、満たさない場合、プロセスを終了する。
【０１２５】
具体的には、関連情報が、具体的には関連パラメータに反映される放射強度である場合、予め設定した条件は、予め設定した放射閾値よりも大きい。S702を用いて、放射強度が予め設定した放射閾値よりも大きいと判定された場合、S703が行われ、そうでなければ、モバイル端末が現在通信可能としたアンテナの数が付近のユーザに影響しないと判定された場合、アンテナを無効化する必要はなく、本実施形態を終了する。あるいは、モバイル端末はS703を行う、すなわち、モバイル端末が現在通信可能としたアンテナの数が付近のユーザに影響しない場合、関連情報に従って、通信可能のままとすべきアンテナの数を関連情報を取得する前の数と同じに維持すると判定される、とみなすことができる。関連情報が、具体的には関連パラメータに反映される信号強度である場合、予め設定した条件は、予め設定した信号閾値未満である。S702を用いて、信号強度が予め設定した信号閾値未満であると判定された場合、S703が行われて、モバイル端末がユーザにサービスを正常に提供することを確実にするためにより多くのアンテナを有効化し、そうでなければ、モバイル端末が現在通信可能としたアンテナの数がモバイル端末の正常動作のための要件を満たすことを示す場合、アンテナを通信可能とする制御を行う必要はなく、本実施形態を終了する。あるいは、モバイル端末はS703を行う、すなわち、モバイル端末の現在の信号強度が予め設定した信号閾値よりも大きい場合、S703を用いて、通信可能アンテナの数増やす必要はないと判定する、すなわち、関連情報に従って、通信可能のままとすべきアンテナの数を関連情報を取得する前の数と同じに維持すると判定される、とみなすことができる。
【０１２６】
関連情報が予め設定した条件を満たさない場合、モバイル端末上で通信可能としたアンテナの数を変える必要はないことを示し、次いで本実施形態を終了する。あるいは、換言すると、S703およびS704は依然として行われる、すなわち、S703を用いて、予め設定した条件を満たさない関連情報に従って、通信可能アンテナの数を関連情報を取得する前の数と同じに維持すると判定され、次いで、S704において、モバイル端末は、通信可能アンテナの数をS701の前の数と同じになるように維持するように制御される。
【０１２７】
S703：モバイル端末は、関連情報に従って、通信可能のままとすべきアンテナの数を判定する。
【０１２８】
S704：モバイル端末は、関連情報に対応するアンテナの数となるようにモバイル端末の通信可能アンテナの数を制御する。
【０１２９】
さらに、関連情報は、以下の情報、すなわち、モバイル端末に関連する環境情報と、モバイル端末の関連パラメータと、モバイル端末の現在の作業モードとのうちの少なくともいずれかである。これに伴い、可能な関連情報に関するケースが5つある：
第1のケース：関連情報が、端末に関連する環境情報であり、環境情報が、モバイル端末の放射内のユーザである場合、予め設定した条件は、予め設定した生体情報である；
第2のケース環境情報が、モバイル端末が置かれるシナリオである場合、予め設定した条件は、予め設定した制限シナリオである；
第3のケース：関連情報が、端末の関連パラメータであり、関連パラメータが、モバイル端末の放射強度である場合、予め設定した条件は、予め設定した放射閾値よりも大きい；
第4のケース：関連パラメータが、モバイル端末の信号強度である場合、予め設定した条件は、予め設定した信号閾値未満である；
第5のケース：関連パラメータが、モバイル端末の現在の作業モードである場合、予め設定した条件は、予め設定した作業モードである。
【０１３０】
第1のケースについては、以下のステップを用いて、S701からS702の具体的な実行プロセスを表す。
【０１３１】
S11a：モバイル端末は、第三者装置が送信したユーザ特徴を受信する。
【０１３２】
第三者装置は、インテリジェント・ウェアラブル・デバイスであり、第三者装置は、モバイル端末のユーザや付近にいる人のユーザ特徴を取得でき、具体的には、大人、お年寄り、妊娠中の女性、子供などである。
【０１３３】
あるいは、S11aをS11bと置き換えることもできる。
【０１３４】
S11b：モバイル端末は、ユーザが入力した操作指示または取得したユーザ情報を解析して、ユーザ特徴を取得する。
【０１３５】
例えば、操作指示は、「妊娠中の女性のためのウェブページにアクセスする」ことや「お年寄りのためのヘルスケア」appを開くことであり、そして、操作指示の解析後、キーワード「妊娠中の女性」または「お年寄り」が取得され、モバイル端末を使用するユーザが妊娠中の女性またはお年寄りであることが示され、次いで、S12を用いて、ユーザ特徴として使用されたこれらのキーワードが予め設定した生体情報を満たすかどうかが判定される。
【０１３６】
ユーザ情報は、ユーザによって入力される、または第三者装置によって送信され、例えば、ユーザは、モバイル端末の、のカメラまたは温度センサを使用して、モバイル端末を使用するユーザの顔画像および体温、もしくはモバイル端末付近にいる人の顔画像および体温などのユーザ情報を取得する、またはインテリジェント・ウェアラブル・デバイスなどの第三者装置が、ユーザの体温、皮膚湿度、弾力性などのユーザ情報を収集し、次いでユーザ情報の解析の後、モバイル端末は、ユーザ特徴を取得する、すなわち、ユーザ情報に従って判定されたユーザ特徴は、具体的には、お年寄り、子供、妊娠中の女性、もしくは大人などの生物学的特徴である。
【０１３７】
S12：モバイル端末は、ユーザ特徴を予め設定した生体情報と比較し、ユーザ特徴が予め設定した生体情報を満たすかどうかを判定し、満たす場合、S703を行い、満たさない場合、プロセスを終了する。
【０１３８】
例えば、予め設定した生体情報は、具体的には、高齢者、子供、および妊娠中の女性を含む。S11を用いて取得されたユーザ特徴が、お年寄りである場合、S12を用いて、ユーザ特徴が、予め設定した生体情報を満たすと判定され、したがって、いくつかのアンテナを無効化して、お年寄りへの放射を減らす必要がある。ユーザ特徴が大人であった場合、どのアンテナも無効化する必要はない、すなわち、本実施形態を終了する、または換言すると、モバイル端末は、S703からS704を依然として行い続け、この場合、S703を用いて、大人については通信可能アンテナの数を変更する必要はないと判定され、次いで、S704において、通信可能アンテナの数は、関連情報を取得する前の数と同じに維持される。
【０１３９】
第2のケースについては、以下のステップを用いて、S701からS702の具体的な実行プロセスを表す。
【０１４０】
S21：モバイル端末は、シナリオ情報を取得する。
【０１４１】
シナリオ情報は、モバイル端末上のセンサまたはカメラを用いて取得される。
【０１４２】
S22：モバイル端末は、シナリオ情報を予め設定した制限シナリオと比較し、シナリオ情報が予め設定した制限シナリオを満たすかどうかを判定し、満たす場合、S703を行い、満たさない場合、プロセスを終了する。
【０１４３】
予め設定した制限シナリオは、モバイル端末からの放射の干渉を制限する必要がある病院および空港などのいくつかのシナリオである。例えば、病院の識別子、空港の識別子、子供、妊娠中の女性、お年寄りなどがカメラで撮影した画像に現れた場合、モバイル端末の画像解析を通じて、通信装置が、病院や空港などの環境に置かれている、または子供、妊娠中の女性、お年寄りなどが周囲にいることが確認され、モバイル端末は、S703を行い続ける。あるいは、シナリオ情報が、予め設定した制限シナリオによって規定されるいかなるシナリオでもない場合、アンテナを通信可能とする／オフにするという制御を行う必要はない、すなわち、本実施形態を終了する、または換言すると、モバイル端末は、S703からS704を依然として行い続け、この場合、S703を用いて、予め設定した制限シナリオによって規定されていないいかなるシナリオについても通信可能アンテナの数を変更する必要はないと判定され、次いで、S704において、通信可能アンテナの数は、関連情報を取得する前の数と同じに維持される。
【０１４４】
第3のケースについては、以下のステップを用いて、S701からS702の具体的な実行プロセスを表す。
【０１４５】
S31：モバイル端末は、それ自身で放射強度を検出して、モバイル端末の現在の放射強度を取得する。
【０１４６】
S32：モバイル端末は、モバイル端末の検出される放射強度を予め設定した放射閾値と比較し、モバイル端末の放射強度が、予め設定した放射閾値よりも大きいかどうかを判定し、そうであれば、S703を行い、そうでなければ、プロセスを終了する。プロセスを終了することはまた、S703からS704を行い続けること、すなわち、放射強度は、予め設定した放射閾値よりも大きくない、と解釈でき、S703を用いて、大人については通信可能アンテナの数を変更する必要はないと判定され、次いで、S704において、通信可能アンテナの数は、関連情報を取得する前の数と同じに維持される。
【０１４７】
第4のケースについては、以下のステップを用いて、S701からS702の具体的な実行プロセスを表す。
【０１４８】
S41：モバイル端末は、それ自身で信号強度を検出して、モバイル端末の現在の信号強度を取得する。
【０１４９】
S42：モバイル端末は、モバイル端末の検出される信号強度を予め設定した信号閾値と比較し、モバイル端末の信号強度が、予め設定した信号閾値よりも大きいかどうかを判定し、そうであれば、S703を行い、そうでなければ、プロセスを終了する。プロセスを終了することはまた、S703からS704を行うことと解釈できる、すなわち、放射強度が予め設定した放射閾値よりも大きくない場合、S703を用いて、通信可能アンテナの数を変更する必要はないと判定され、次いで、S704において、通信可能アンテナの数は、関連情報を取得する前の数と同じに維持される。
【０１５０】
第5のケースについては、以下のステップを用いて、S701からS702の具体的な実行プロセスを表す。
【０１５１】
S51：モバイル端末は、現在の作業モードを取得する。
【０１５２】
現在の作業モード、例えば、フライトモード、節電モード、通常モード、または拡張モードは、ユーザによって設定され、この場合、予め設定した作業モードは、通信可能とするアンテナの数を制御する必要があるモード、例えば、フライトモード、節電モード、通常モード、または拡張モードを含む。例えば、通常モードは、一般的に、モバイル端末のデフォルトモードであり、4本のアンテナは、通信可能に維持され、フライトモードでは、すべてのアンテナを無効化する必要があり、節電モードでは、1本のアンテナのみを通信可能とする必要があり、拡張モードでは4本以上のアンテナを通信可能とする必要があり、加えて、節電モードでは、モバイル端末によって設定されてもよく、例えば、モバイル端末の残りの電気量が予め設定した電気量閾値未満であるとモバイル端末が検出した場合、モバイル端末によって節電モードが設定される。
【０１５３】
S52：モバイル端末は、モバイル端末の現在の作業モードを予め設定した作業モードと比較し、現在の作業モードが予め設定した現在の作業モードを満たすかどうかを判定し、満たす場合、S703を行い、満たさない場合、プロセスを終了する。プロセスを終了することはまた、S703からS704を行うことと解釈できる、すなわち、現在の作業モードは、予め設定した作業モードにおけるいずれのモードでもなく、例えば、現在の作業モードが通常モードである場合、S703を用いて、デフォルトの通信可能アンテナの数のみを維持する必要があり、通信可能アンテナの数を変更する必要はないと判定され、次いで、S704において、通信可能アンテナの数は、関連情報を取得する前の数と同じに維持される。
【０１５４】
本実施形態では、モバイル端末は、関連情報に従って、通信可能のままとすべきアンテナの数を判定し、かつモバイル端末上の通信可能アンテナの数を柔軟に変更し、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１５５】
図9は、本発明によるモバイル端末の実施形態1の構造図である。図9に示すように、モバイル端末600は、
サービスの開始コマンドを取得するように構成される取得モジュール61と、
開始コマンドに従って、サービスのために通信可能とする必要があるアンテナの数を判定するように構成される判定モジュール62と、
サービスのために通信可能とする必要があるアンテナの数となるようにモバイル端末の通信可能アンテナの数を制御するように構成される処理モジュール63と、
を含む。
【０１５６】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【０１５７】
図10は、本発明によるモバイル端末の実施形態2の構造図である。図10に示すように、図9に示す実施形態に基づいて、本実施形態は、さらに詳細な説明を提供するものであり、具体的には、
取得モジュール61は、サービスのサービス信号を受信するように特に構成され、サービスのサービス信号は、開始コマンドである。
【０１５８】
さらに、本モバイル端末は、提示モジュール64と判断モジュール65とをさらに含み、
提示モジュール64は、ユーザにサービスを開始するかどうかの判断を促すように構成され、
予め設定した時間内にユーザが入力した操作指示を取得モジュール61が受信していないと判断モジュール65が判定した場合、またはユーザが入力し、予め設定した時間内に取得モジュール61が受信した操作指示が、サービスを開始せよとの指示ではないと判断モジュール65が判定した場合、
処理モジュール63は、サービス信号を受信する前の数に復帰するようにモバイル端末の通信可能アンテナの数を制御する。
【０１５９】
さらに、取得モジュール61は、サービスのサービス信号を受信するようにさらに構成され、
提示モジュール64は、ユーザにサービスを開始するかどうかを尋ねるように構成され、
取得モジュール61は、ユーザが入力した操作指示を受信するように構成され、
判断モジュール65は、操作指示がサービスを開始せよとの指示であるかどうかを判定するように構成され、次いで、取得モジュール61は、操作指示を開始コマンドとして使用するように特に構成される。
【０１６０】
さらに、取得モジュール61は、
サービスに関連し、かつユーザが入力した操作指示を受信するように特に構成され、サービスに関連する操作指示は、開始コマンドである。
【０１６１】
場合により、提示モジュール64は、ユーザに続く操作指示の入力を促すように構成され、
予め設定した時間内にユーザが入力した続く操作指示を取得モジュール61が受信していないと判断モジュール65が判定した場合、またはユーザが入力し、予め設定した時間内に続く取得モジュール61が受信した操作指示が、サービスを開始せよとの指示ではないと判断モジュール65が判定した場合、
処理モジュール63は、サービス信号を受信する前の数に復帰するようにモバイル端末の通信可能アンテナの数を制御するように構成される。
【０１６２】
場合により、取得モジュール61は、サービスに関連し、かつユーザが入力した操作指示を受信し、
提示モジュール64は、サービスに関連する操作指示に従って、ユーザに続く操作指示の入力を促し、
判断モジュール65は、サービスを開始せよとの続く操作指示を取得モジュール61が受信し、次いで、取得モジュール61は、サービスを開始せよとの続く操作指示を開始コマンドとして使用する。
【０１６３】
さらに、取得モジュール61は、サービスを終了するための情報を受信するようにさらに構成され、
処理モジュール63は、サービスを終了し、開始コマンドを受信する前の数に復帰するようにモバイル端末の通信可能アンテナの数を制御する。
【０１６４】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【０１６５】
図11は、本発明によるモバイル端末の実施形態3の構造図である。図11に示すように、本実施形態におけるモバイル端末700は、
関連情報を取得するように構成される取得モジュール71であって、関連情報は、以下の情報、すなわち、モバイル端末に関連する環境情報と、モバイル端末の関連パラメータと、モバイル端末の現在の作業モードとのうちの少なくともいずれかである、取得モジュール71と、
関連情報に従って、通信可能のままとすべきアンテナの数を判定するように構成される判定モジュール72と、
関連情報に対応するアンテナの数となるようにモバイル端末の通信可能アンテナの数を制御するように構成される処理モジュール73と、
を含む。
【０１６６】
さらに、判定モジュール72は、関連情報を予め設定した条件と比較し、関連情報が、予め設定した条件を満たすかどうかを判定するようにさらに構成され、
関連情報が、端末に関連する環境情報であり、環境情報が、モバイル端末の放射内のユーザである場合、予め設定した条件は、予め設定した生体情報であり、
環境情報が、モバイル端末が置かれるシナリオである場合、予め設定した条件は、予め設定した制限シナリオであり、
関連情報が、端末の関連パラメータであり、関連パラメータが、モバイル端末の放射強度である場合、予め設定した条件は、予め設定した放射閾値よりも大きく、
関連パラメータが、モバイル端末の信号強度である場合、予め設定した条件は、予め設定した信号閾値未満であり、
関連パラメータが、モバイル端末の現在の作業モードである場合、予め設定した条件は、予め設定した作業モードである。
【０１６７】
さらに、環境情報が、モバイル端末の放射内のユーザである場合、判定モジュール72は、
第三者装置が送信したユーザ特徴を予め設定した生体情報と比較し、第三者装置が送信したユーザ特徴が、予め設定した生体情報を満たすかどうかを判定するように特に構成される、または
取得モジュール71は、ユーザが入力した操作指示または取得したユーザ情報を解析して、ユーザ特徴を取得するようにさらに構成され、
判定モジュール72は、ユーザ特徴を予め設定した生体情報と比較し、ユーザ特徴が、予め設定した生体情報を満たすかどうかを判定するようにさらに構成され、ユーザ情報が、ユーザによって入力される、または第三者装置によって送信され、
ユーザ特徴が、予め設定した生体情報を満たす場合、処理モジュール73は、関連情報に従って、通信可能のままとすべきアンテナの数を判定するように構成される。
【０１６８】
環境情報が、モバイル端末が置かれるシナリオである場合、判定モジュール72は、シナリオ情報を予め設定した制限シナリオと比較し、シナリオ情報が予め設定した制限シナリオを満たすかどうか判定するように特に構成され、
シナリオ情報は、モバイル端末上のセンサまたはカメラを用いて取得され、
シナリオ情報が、予め設定した制限シナリオを満たす場合、処理モジュール73は、関連情報に従って、通信可能のままとすべきアンテナの数を判定するように構成される。
【０１６９】
関連パラメータが、モバイル端末の放射強度である場合、判定モジュール72は、モバイル端末の検出される放射強度を予め設定した放射閾値と比較し、モバイル端末の放射強度が、予め設定した放射閾値よりも大きいかどうかを判定するように特に構成され、
モバイル端末の放射強度が、予め設定した放射閾値よりも大きい場合、処理モジュール73は、関連情報に従って、通信可能のままとすべきアンテナの数を判定するように構成される、または
関連パラメータが、モバイル端末の信号強度である場合、判定モジュール72は、モバイル端末の検出される信号強度を予め設定した信号閾値と比較し、モバイル端末の信号強度が、予め設定した信号閾値未満であるかどうかを判定するように特に構成され、
モバイル端末の放射強度が、予め設定した放射閾値よりも大きい場合、処理モジュール73は、関連情報に従って、通信可能のままとすべきアンテナの数を判定するように構成される。
【０１７０】
関連パラメータが、モバイル端末の現在の作業モードである場合、判定モジュール72は、モバイル端末の現在の作業モードを作業モードと比較し、現在の作業モードが予め設定した作業モードを満たすかどうかを判定し、現在の作業モードは、ユーザによって設定される、またはモバイル端末の残りの電気量が予め設定した電気量閾値未満であるとモバイル端末が検出した場合にモバイル端末によって設定され、
モバイル端末の現在の作業モードが、予め設定した現在の作業モードを満たす場合、処理モジュール73は、関連情報に従って、通信可能のままとすべきアンテナの数を判定するように構成される。
【０１７１】
本実施形態では、モバイル端末は、関連情報に従って、通信可能のままとすべきアンテナの数を判定し、かつモバイル端末上の通信可能アンテナの数を柔軟に変更し、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１７２】
モバイル端末の実施形態におけるモジュールは、図2から図8に示す方法実施形態におけるステップを対応して行うものであり、具体的な実行プロセスおよび有益な効果については、方法実施形態を参照できることにさらに留意する必要がある。
【０１７３】
図12は、本発明によるモバイル端末の実施形態4の構造図である。図12に示すように、本実施形態におけるモバイル端末は、一例に過ぎない。実際の適用においては、モバイル端末は、スマートフォン、iPad(登録商標)などであることが理解されよう。異なるモバイル端末内のモジュールおよび部品は同じではないため、実際には、モバイル端末は、図12に示す部品よりも多いまたは少ない部品を有してもよいし、2つ以上の部品を組み合わせてもよいし、異なる部品構成を有してもよい。図12に示す部品は、ハードウェア、ソフトウェア、またはハードウェアとソフトウェアとの組み合わせにおいて実装されてよく、これには、1つ以上の信号処理および／または特定用途向け集積回路を含んでよい。
【０１７４】
モバイル端末800は、少なくとも2本のアンテナ81と、少なくとも1つのプロセッサ82と、メモリ83と、センサ84と、I／Oインターフェース85と、通信モジュール86と、少なくとも1つの通信バス87とを含む。さらに、モバイル端末は、別の機能コンポーネント、例えば、バッテリ管理のためのバッテリモジュール、ユーザ設定管理モジュール、またはパラメータ検出モジュールをさらに含み、通信バス87は、モジュールやコンポーネントどうしの接続通信を実現するように構成される。メモリ83は、不揮発性固体メモリおよび／またはダイナミック不揮発性記憶装置、例えば、フラッシュメモリ、または回転可能な磁気ディスクドライブを含み得る。センサ84は、温度センサおよび湿度センサなどの様々なセンサを含み、かつモバイル端末を使用するユーザの体温および皮膚湿度などの情報を測定するように構成され、通信モジュール86は、GSM(登録商標)（Global System for Mobile communication）、CDMA（Code Division Multiple Access）、GPRS（General Packet Radio Service）、またはEDGE（Enhanced Data Rate for GSM Evolution）などの長距離通信、WCDMA(登録商標)（Wideband Code Division Multiple Access）またはTD−SCDMA（Time Division−Synchronous Code Division Multiple Access）などの3G技術、LTE（Long Term Evolution）などの4G技術などのために使用されてよく、通信モジュール86は、短距離通信のためにさらに使用されてよく、近くにある第三者装置（インテリジェント・ウェアラブル・デバイスなど）とZigBee、UWB、Wi−Fi、Bluetooth(登録商標)、NFC、および赤外線通信などの短距離無線通信を行ってよく、通信モジュール86と連携するアンテナ81は、信号を受信および送信するように構成される。
【０１７５】
具体的には、I／Oインターフェース85は、表示および入力用のタッチスクリーン851、入力用のI／Oキーボード852（任意）、マイクロホン853、カメラ854などを含む。
【０１７６】
具体的には、メモリ83は、オペレーティングシステム4021とアプリケーションプログラム4022とを含み、オペレーティングシステム4021は、様々なオペレーティングシステムプログラムを含み、これらは、ハードウェアに基づく様々な操作を実現するために使用され、アプリケーションプログラム4022は、様々なアプリケーションプログラムを含み、これらは、様々なアプリケーション機能、例えば、アンテナを通信可能とする／オフにするための制御プログラムと、サービス識別プログラムと、ユーザ特徴識別プログラムと、関連情報識別プログラムとを実現するために使用され、サービス識別プログラムは、ユーザが入力した操作またはモバイル端末が受信したサービス信号に従って、モバイル端末が実行しようとしているサービスを識別してよく、ユーザ特徴識別プログラムは、取得した画像を解析して、キーワード、ユーザ特徴などを取得してよい、またはユーザが入力した声紋情報に従って解析を行って、ユーザ情報を取得してよい、または第三者装置（インテリジェント・ウェアラブル・デバイスなど）が送信し、通信モジュールで受信したユーザ情報を解析して、ユーザ特徴を取得してよい。
【０１７７】
さらに、メモリ83は、予め設定した条件をさらに格納してよく、予め設定した条件は、予め設定した生体情報、予め設定した制限シナリオ、予め設定した放射閾値、予め設定した信号閾値、予め設定した作業モードなどであってよい。
【０１７８】
プロセッサ82は、通信バス87を使用してモジュールやコンポーネントと通信する。モバイル端末上のアンテナを無効化または通信可能とする制御の間、通信モジュール86が、アンテナ81を使用してサービスのサービス信号を受信した場合、メモリ内のサービス識別プログラムに基づいて、プロセッサは、サービスを識別し、かつサービスのために通信可能とする必要があるアンテナの数を判定し、次いで、アンテナを通信可能とする／オフにする制御プログラムに基づいて、サービスのために通信可能とする必要があるアンテナの数となるようにモバイル端末の通信可能アンテナの数を制御する。
【０１７９】
場合により、ユーザがタッチスクリーンを用いて操作指示を入力した場合、サービス識別プログラムに基づいて、プロセッサは、サービスを識別し、かつサービスのために通信可能とする必要があるアンテナの数を判定し、次いで、アンテナを通信可能とする／オフにする制御プログラムに基づいて、サービスのために通信可能とする必要があるアンテナの数となるようにモバイル端末の通信可能アンテナの数を制御する。
【０１８０】
加えて、プロセッサ82は、さらに、通信バス87を用いてタッチスクリーン81を制御し、ユーザにサービスを開始するかどうかを尋ね、ユーザに操作指示を入力するよう促してよい。
【０１８１】
さらに、プロセッサ82が取得した関連情報がモバイル端末の放射内のユーザである場合、プロセッサ82は、ユーザ特徴識別プログラムに基づいてユーザ情報を解析して、ユーザ特徴を取得し、ユーザ特徴をメモリ内の予め設定した生体情報と比較し、次いでアンテナを通信可能とする／オフにする制御プログラムに基づいて、ユーザ特徴に対応するアンテナの数となるようにモバイル端末の通信可能アンテナの数を制御し、ユーザ情報は、ユーザがマイクロホンを用いて入力した声紋情報、ユーザがカメラを用いて撮像した顔画像、または温度センサまたは湿度センサで感知したユーザの体温、皮膚湿度などであってもよいし、インテリジェント・ウェアラブル・デバイスによって感知し、通信モジュールで受信したユーザ情報、またはユーザからであり、タッチスクリーンで受信した操作指示であってもよい。
【０１８２】
あるいは、プロセッサ82は、さらに、関連情報識別プログラムに基づいて一部の関連情報を解析し、関連情報をメモリに格納された予め設定した条件と比較し、次いでアンテナを通信可能とする／オフにする制御プログラムに基づいて、関連情報に対応するアンテナの数となるようにモバイル端末の通信可能アンテナの数を制御し、関連情報は、モバイル端末が置かれるシナリオであってよく、シナリオは、カメラによる撮影画像から取得され、関連情報識別プログラムが、シナリオ画像内の内容、例えば、病院や空港などのキーワードを識別してよい、または関連情報は、パラメータ検出モジュールが取得したモバイル端末の信号強度、放射強度などである、または関連情報は、ユーザ設定管理モジュールで設定した作業モードであり、作業モードは、ユーザがタッチスクリーン851またはキーボード852によって入力した操作指示を用いて設定してよい。ユーザ設定管理モジュールは、さらに、通信バス87を用いてバッテリモジュールと通信し、残りの電気量が予め設定した閾値未満であると検出し、バッテリモジュールは、ユーザ設定管理モジュールに命令して、作業モードを節電モードに設定してよい。
【０１８３】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼし、加えて、モバイル端末は、取得した関連情報に従って、通信可能のままとすべきアンテナの数をさらに判定し、モバイル端末上の通信可能アンテナの数を柔軟に変更してよく、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１８４】
当業者であれば、各実施形態における各方法の各ステップの全部または一部を関連ハードウェアに命令するプログラムによって実現することができることを理解するはずである。プログラムは、コンピュータ可読記憶媒体に記憶することができる。プログラムが走ると、方法実施形態の各ステップが行われる。前述の記憶媒体は、ROM、RAM、磁気ディスク、または光ディスクなどのプログラムコードを記憶することのできる任意の媒体を含む。
【０１８５】
最後に、前述の実施形態は、本発明を限定するためのものではく、単に本発明の技術的解決策を説明するためのものに過ぎないことに留意されたい。本発明は前述の実施形態に関連して詳細に説明されているが、当業者は、本出願の実施形態の技術的解決策の範囲を逸脱することなく、さらに、前述の実施形態に記述されている技術的解決策に改変を加え、あるいは、前述の実施形態の一部の技術的特徴に対する均等な置換を行うことができることを理解するはずである。
【符号の説明】
【０１８６】
61  取得モジュール
62  判定モジュール
63  処理モジュール
64  提示モジュール
65  判断モジュール
71  取得モジュール
72  判定モジュール
73  処理モジュール
81  アンテナ
82  プロセッサ
83  メモリ
84  センサ
85  I／Oインターフェース
86  通信モジュール
87  通信バス
600  モバイル端末
700  モバイル端末
800  モバイル端末
851  タッチスクリーン
852  I／Oキーボード、キーボード
853  マイクロホン
854  カメラ
4021  オペレーティングシステム
4022  アプリケーションプログラム
【図１】
2017529808.tif 000003
【図２】
2017529808.tif 000004
【図３】
2017529808.tif 000005
【図４】
2017529808.tif 000006
【図５】
2017529808.tif 000007
【図６】
2017529808.tif 000008
【図７】
2017529808.tif 000009
【図８】
2017529808.tif 000010
【図９】
2017529808.tif 000011
【図１０】
2017529808.tif 000012
【図１１】
2017529808.tif 000013
【図１２】
2017529808.tif 000014
【手続補正書】
【提出日】平成29年2月6日(2017.2.6)
【手続補正１】
【補正対象書類名】明細書
【補正対象項目名】全文
【補正方法】変更
【補正の内容】
【発明の詳細な説明】
【技術分野】
【０００１】
本発明の実施形態は、通信技術の分野に関し、詳細には、モバイル端末アンテナのための制御方法およびモバイル端末に関する。
【背景技術】
【０００２】
2Gおよび3G技術では、モバイル端末には1本のアンテナが構成されるが、4G LTE（Long Term Evolution）では、モバイル端末には2本のアンテナが構成される。さらに、LTE−Advancedでは、モバイル端末に4本ものアンテナが構成されることもある。通信技術の開発および発展に伴って、将来、モバイル端末に8本またはさらにそれ以上のアンテナ、例えば12本のアンテナまたは16本のアンテナが構成される可能性がある。MIMO（Multiple Input Multiple Output、マルチプル・インプット・マルチプル・アウトプット）技術では、モバイル端末のアンテナの数の増加によって、伝送容量および伝送レートを改善できる。しかしながら、アンテナが多くなると、端末と通信ネットワークエレメントとの間の通信の計算の複雑さもまた増大し、ひいては、より高い電力消費につながる。
【０００３】
具体的には、モバイル端末上で実行される一部のタスクやサービスなどは、多くのアンテナの関与を必要とせず、例えば、セッションサービスを正常に実行するためには、2本のアンテナのみを通信可能とするだけでよい。この場合、モバイル端末上の4本のアンテナを通信可能とすると、モバイル端末の電力消費が過度に高くなる。特に、電力供給をバッテリに頼る電子デバイスであるモバイル端末の場合、不要なアンテナを通信可能とすることで、バッテリの電気が無駄に使われ、ユーザの使用に影響する。
【発明の概要】
【課題を解決するための手段】
【０００４】
本発明の実施形態は、モバイル端末アンテナのための制御方法およびモバイル端末を提供するものであり、これらは、モバイル端末の無効化したアンテナの数や通信可能としたアンテナの数を適切に制御するために使われる。
【０００５】
第1の実施態様によれば、本発明の一実施形態は、モバイル端末アンテナのための制御方法を提供し、
モバイル端末によって、サービスの開始コマンドを取得するステップと、
モバイル端末によって、開始コマンドに従って、サービスのために通信可能とする必要があるアンテナの数を判定するステップと、
モバイル端末によって、サービスのために通信可能とする必要があるアンテナの数となるようにモバイル端末の通信可能アンテナの数を制御するステップと、
を含む。
【０００６】
第1の実施態様に関連して、第1の実施方式では、モバイル端末によって、サービスの開始コマンドを取得するステップは、
モバイル端末によって、サービスのサービス信号を受信するステップであって、サービス信号は、開始コマンドである、ステップ
を含む。
【０００７】
第1の実施態様の第1の実施方式に関連して、第2の実施方式では、本方法は、
モバイル端末によって、ユーザにサービスを開始するかどうかの判断を促すステップと、
モバイル端末が、予め設定した時間内にユーザが入力した操作指示を受信しない場合、またはモバイル端末が、ユーザが入力し、予め設定した時間内に受信した操作指示が、サービスを開始せよとの指示ではないと判定した場合、
モバイル端末によって、サービス信号を受信する前の数に復帰するようにモバイル端末の通信可能アンテナの数を制御するステップと、
をさらに含む。
【０００８】
第1の実施態様に関連して、第3の実施方式では、モバイル端末によって、サービスの開始コマンドを取得するステップは、
モバイル端末によって、サービスのサービス信号を受信するステップと、
モバイル端末によって、ユーザにサービスを開始するかどうかの判断を促すステップと、
モバイル端末によって、ユーザが入力した操作指示を受信するステップと、
モバイル端末が、操作指示がサービスを開始せよとの指示であると判定した場合、操作指示を開始コマンドとして使用する、ステップと、
を含む。
【０００９】
第1の実施態様に関連して、第4の実施方式では、モバイル端末によって、サービスの開始コマンドを取得するステップは、
モバイル端末によって、サービスに関連し、かつユーザが入力した操作指示を受信するステップであって、サービスに関連する操作指示は、開始コマンドである、ステップ
を含む。
【００１０】
第1の実施態様の第4の実施方式に関連して、第5の実施方式では、本方法は、
モバイル端末によって、ユーザに続く操作指示の入力を促すステップと、
モバイル端末が、予め設定した時間内にユーザが入力した続く操作指示を受信しない場合、またはモバイル端末が、予め設定した時間内に受信した続く操作指示が、サービスを開始せよとの指示ではないと判定した場合、
モバイル端末によって、サービス信号を受信する前の数に復帰するようにモバイル端末の通信可能アンテナの数を制御するステップと、
をさらに含む。
【００１１】
第1の実施態様に関連して、第6の実施方式では、モバイル端末によって、サービスの開始コマンドを取得するステップは、
モバイル端末によって、サービスに関連し、かつユーザが入力した操作指示を受信するステップと、
モバイル端末によって、サービスに関連する操作指示に従って、ユーザに続く操作指示の入力を促すステップと、
モバイル端末によって、サービスを開始せよとの続く操作指示を受信し、次いで、続く操作指示を開始コマンドとして使用するステップと、
を含む。
【００１２】
第1の実施態様から第1の実施態様の第6の実施方式のうちの任意の実施方式に関連して、第7の実施方式では、本制御方法は、
モバイル端末によって、サービスを終了するための情報を受信するステップと、
モバイル端末によって、サービスを終了し、開始コマンドを受信する前の数に復帰するようにモバイル端末の通信可能アンテナの数を制御する、ステップと、
をさらに含む。
【００１３】
第2の実施態様によれば、本発明の一実施形態は、モバイル端末アンテナのための制御方法を提供し、
モバイル端末によって、関連情報を取得するステップであって、関連情報は、以下の情報、すなわち、モバイル端末に関連する環境情報と、モバイル端末の関連パラメータと、モバイル端末の現在の作業モードとのうちの少なくともいずれかである、ステップと、
モバイル端末によって、関連情報に従って、通信可能のままとすべきアンテナの数を判定するステップと、
モバイル端末によって、関連情報に対応するアンテナの数となるようにモバイル端末の通信可能アンテナの数を制御するステップと、
を含む。
【００１４】
第2の実施態様に関連して、第1の実施方式では、モバイル端末によって、関連情報に従って、通信可能のままとすべきアンテナの数を判定するステップの前に、本制御方法は、
モバイル端末によって、関連情報を予め設定した条件と比較し、関連情報が予め設定した条件を満たすかどうかを判定する、ステップであって、
関連情報が、端末に関連する環境情報であり、環境情報が、モバイル端末の放射内のユーザである場合、予め設定した条件は、予め設定した生体情報であり、
環境情報が、モバイル端末が置かれるシナリオである場合、予め設定した条件は、予め設定した制限シナリオであり、
関連情報が、端末の関連パラメータであり、関連パラメータが、モバイル端末の放射強度である場合、予め設定した条件は、予め設定した放射閾値よりも大きく、
関連パラメータが、モバイル端末の信号強度である場合、予め設定した条件は、予め設定した信号閾値未満であり、
関連パラメータが、モバイル端末の現在の作業モードである場合、予め設定した条件は、予め設定した作業モードである、ステップ
をさらに含む。
【００１５】
第2の実施態様の第1の実施方式に関連して、第2の実施方式では、環境情報が、モバイル端末の放射内のユーザである場合、本制御方法は、
モバイル端末によって、第三者装置が送信したユーザ特徴を予め設定した生体情報と比較し、第三者装置が送信したユーザ特徴が、予め設定した生体情報を満たすかどうかを判定する、ステップ、または
モバイル端末によって、ユーザが入力した操作指示または取得したユーザ情報を解析して、ユーザ特徴を取得する、ステップと、
モバイル端末によって、ユーザ特徴を予め設定した生体情報と比較し、ユーザ特徴が、予め設定した生体情報を満たすかどうかを判定する、ステップであって、ユーザ情報が、ユーザによって入力される、または第三者装置によって送信される、ステップと、
ユーザ特徴が、予め設定した生体情報を満たす場合、モバイル端末によって、関連情報に従って、通信可能のままとすべきアンテナの数を判定するステップと、
をさらに含む。
【００１６】
第2の実施態様の第1の実施方式に関連して、第3の実施方式では、環境情報が、モバイル端末が置かれるシナリオである場合、本制御方法は、
モバイル端末によって、シナリオ情報を予め設定した制限シナリオと比較し、シナリオ情報が予め設定した制限シナリオを満たすかどうかを判定する、ステップであって、
シナリオ情報は、モバイル端末上のセンサまたはカメラを用いて取得される、ステップと、
シナリオ情報が、予め設定した制限シナリオを満たす場合、モバイル端末によって、関連情報に従って、通信可能のままとすべきアンテナの数を判定するステップと、
を含む。
【００１７】
第2の実施態様の第1の実施方式に関連して、第4の実施方式では、関連パラメータが、モバイル端末の放射強度である場合、本制御方法は、
モバイル端末によって、モバイル端末の検出される放射強度を予め設定した放射閾値と比較し、モバイル端末の放射強度が、予め設定した放射閾値よりも大きいかどうかを判定する、ステップと、
モバイル端末の放射強度が、予め設定した放射閾値よりも大きい場合、モバイル端末によって、関連情報に従って、通信可能のままとすべきアンテナの数を判定するステップと、
をさらに含み、
関連パラメータが、モバイル端末の信号強度である場合、本制御方法は、
モバイル端末によって、モバイル端末の検出される信号強度を予め設定した信号閾値と比較し、モバイル端末の信号強度が、予め設定した信号閾値未満であるかどうかを判定する、ステップと、
モバイル端末の放射強度が、予め設定した放射閾値よりも大きい場合、モバイル端末によって、関連情報に従って、通信可能のままとすべきアンテナの数を判定するステップと、
をさらに含む。
【００１８】
第2の実施態様の第1の実施方式に関連して、第5の実施方式では、モバイル端末の関連パラメータが、現在の作業モードである場合、本制御方法は、
モバイル端末によって、モバイル端末の現在の作業モードを作業モードと比較し、現在の作業モードが予め設定した作業モードを満たすかどうかを判定する、ステップであって、現在の作業モードは、ユーザによって設定される、またはモバイル端末の残りの電気量が予め設定した電気量閾値未満であるとモバイル端末が検出した場合にモバイル端末によって設定される、ステップと、
モバイル端末の現在の作業モードが、予め設定した現在の作業モードを満たす場合、モバイル端末によって、関連情報に従って、通信可能のままとすべきアンテナの数を判定するステップと、
をさらに含む。
【００１９】
第3の実施態様によれば、本発明の一実施形態は、モバイル端末を提供し、
サービスの開始コマンドを取得するように構成される取得モジュールと、
開始コマンドに従って、サービスのために通信可能とする必要があるアンテナの数を判定するように構成される判定モジュールと、
サービスのために通信可能とする必要があるアンテナの数となるようにモバイル端末の通信可能アンテナの数を制御するように構成される処理モジュールと、
を含む。
【００２０】
第3の実施態様に関連して、第1の実施方式では、取得モジュールは、サービスのサービス信号を受信するように特に構成され、サービスのサービス信号は、開始コマンドである。
【００２１】
第3の実施態様の第1の実施方式に関連して、第2の実施方式では、本モバイル端末は、提示モジュールと判断モジュールとをさらに含み、
提示モジュールは、ユーザにサービスを開始するかどうかの判断を促すように構成され、
予め設定した時間内にユーザが入力した操作指示を取得モジュールが受信していないと判断モジュールが判定した場合、またはユーザが入力し、予め設定した時間内に取得モジュールが受信した操作指示が、サービスを開始せよとの指示ではないと判断モジュールが判定した場合、
処理モジュールは、サービス信号を受信する前の数に復帰するようにモバイル端末の通信可能アンテナの数を制御する。
【００２２】
第3の実施態様に関連して、第3の実施方式では、本モバイル端末は、提示モジュールと判断モジュールとをさらに含み、
取得モジュールは、サービスのサービス信号を受信するようにさらに構成され、
提示モジュールは、ユーザにサービスを開始するかどうかの判断を促すように構成され、
取得モジュールは、ユーザが入力した操作指示を受信するように構成され、
判断モジュールは、操作指示がサービスを開始せよとの指示であるかどうかを判定するように構成され、次いで、取得モジュールは、操作指示を開始コマンドとして使用するように特に構成される。
【００２３】
第3の実施態様に関連して、第4の可能な実施方式では、取得モジュールは、
サービスに関連し、かつユーザが入力した操作指示を受信するように特に構成され、サービスに関連する操作指示は、開始コマンドである。
【００２４】
第3の実施態様の第4の実施方式に関連して、第5の実施方式では、本モバイル端末は、提示モジュールと判断モジュールとをさらに含み、
提示モジュールは、ユーザに続く操作指示の入力を促すように構成され、
予め設定した時間内にユーザが入力した続く操作指示を取得モジュールが受信していないと判断モジュールが判定した場合、またはユーザが入力し、予め設定した時間内に続く取得モジュールが受信した操作指示が、サービスを開始せよとの指示ではないと判断モジュールが判定した場合、
処理モジュールは、サービス信号を受信する前の数に復帰するようにモバイル端末の通信可能アンテナの数を制御するように構成される。
【００２５】
第3の実施態様に関連して、第6の実施方式では、本モバイル端末は、提示モジュールと判断モジュールとをさらに含み、
取得モジュールは、サービスに関連し、かつユーザが入力した操作指示を受信し、
提示モジュールは、サービスに関連する操作指示に従って、ユーザに続く操作指示の入力を促し、
判断モジュールは、サービスを開始せよとの続く操作指示を取得モジュールが受信し、次いで、取得モジュールは、サービスを開始せよとの続く操作指示を開始コマンドとして使用すると判定する。
【００２６】
第3の実施態様から第3の実施態様の第6の実施方式のうちの任意の実施方式に関連して、第7の実施方式では、取得モジュールは、サービスを終了するための情報を受信するようにさらに構成され、
処理モジュールは、サービスを終了し、開始コマンドを受信する前の数に復帰するようにモバイル端末の通信可能アンテナの数を制御する。
【００２７】
第4の実施態様によれば、本発明の一実施形態は、モバイル端末を提供し、
関連情報を取得するように構成される取得モジュールであって、関連情報は、以下の情報、すなわち、モバイル端末に関連する環境情報と、モバイル端末の関連パラメータと、モバイル端末の現在の作業モードとのうちの少なくともいずれかである、取得モジュールと、
関連情報に従って、通信可能のままとすべきアンテナの数を判定するように構成される判定モジュールと、
関連情報に対応するアンテナの数となるようにモバイル端末の通信可能アンテナの数を制御するように構成される処理モジュールと、
を含む。
【００２８】
第4の実施態様に関連して、第1の実施方式では、判定モジュールは、関連情報を予め設定した条件と比較し、関連情報が、予め設定した条件を満たすかどうかを判定するようにさらに構成され、
関連情報が、端末に関連する環境情報であり、環境情報が、モバイル端末の放射内のユーザである場合、予め設定した条件は、予め設定した生体情報であり、
環境情報が、モバイル端末が置かれるシナリオである場合、予め設定した条件は、予め設定した制限シナリオであり、
関連情報が、端末の関連パラメータであり、関連パラメータが、モバイル端末の放射強度である場合、予め設定した条件は、予め設定した放射閾値よりも大きく、
関連パラメータが、モバイル端末の信号強度である場合、予め設定した条件は、予め設定した信号閾値未満であり、
関連パラメータが、モバイル端末の現在の作業モードである場合、予め設定した条件は、予め設定した作業モードである。
【００２９】
第4の実施態様の第1の実施方式に関連して、第2の実施方式では、環境情報が、モバイル端末の放射内のユーザである場合、次いで、判定モジュールは、
第三者装置が送信したユーザ特徴を予め設定した生体情報と比較し、第三者装置が送信したユーザ特徴が、予め設定した生体情報を満たすかどうかを判定するように特に構成される、または
取得モジュールは、ユーザが入力した操作指示または取得したユーザ情報を解析して、ユーザ特徴を取得するようにさらに構成され、
判定モジュールは、ユーザ特徴を予め設定した生体情報と比較し、ユーザ特徴が、予め設定した生体情報を満たすかどうかを判定するようにさらに構成され、ユーザ情報が、ユーザによって入力される、または第三者装置によって送信され、
ユーザ特徴が、予め設定した生体情報を満たす場合、処理モジュールは、関連情報に従って、通信可能のままとすべきアンテナの数を判定するように構成される。
【００３０】
第4の実施態様の第1の実施方式に関連して、第3の実施方式では、環境情報が、モバイル端末が置かれるシナリオであり、判定モジュールが、シナリオ情報を予め設定した制限シナリオと比較し、シナリオ情報が予め設定した制限シナリオを満たすかどうか判定するように特に構成される場合、
シナリオ情報は、モバイル端末上のセンサまたはカメラを用いて取得され、
シナリオ情報が、予め設定した制限シナリオを満たす場合、処理モジュールは、関連情報に従って、通信可能のままとすべきアンテナの数を判定するように構成される。
【００３１】
第4の実施態様の第1の実施方式に関連して、第4の実施方式では、関連パラメータが、モバイル端末の放射強度である場合、判定モジュールは、モバイル端末の検出される放射強度を予め設定した放射閾値と比較し、モバイル端末の放射強度が、予め設定した放射閾値よりも大きいかどうかを判定するように特に構成され、
モバイル端末の放射強度が、予め設定した放射閾値よりも大きい場合、処理モジュールは、関連情報に従って、通信可能のままとすべきアンテナの数を判定するように構成され、
関連パラメータが、モバイル端末の信号強度である場合、判定モジュールは、モバイル端末の検出される信号強度を予め設定した信号閾値と比較し、モバイル端末の信号強度が、予め設定した信号閾値未満であるかどうかを判定するように特に構成され、
モバイル端末の放射強度が、予め設定した放射閾値よりも大きい場合、処理モジュールは、関連情報に従って、通信可能のままとすべきアンテナの数を判定するように構成される。
【００３２】
第4の実施態様の第1の実施方式に関連して、第5の実施方式では、関連パラメータが、モバイル端末の現在の作業モードである場合、判定モジュールは、モバイル端末の現在の作業モードを作業モードと比較し、現在の作業モードが予め設定した作業モードを満たすかどうかを判定し、現在の作業モードは、ユーザによって設定される、またはモバイル端末の残りの電気量が予め設定した電気量閾値未満であるとモバイル端末が検出した場合にモバイル端末によって設定され、
モバイル端末の現在の作業モードが、予め設定した現在の作業モードを満たす場合、処理モジュールは、関連情報に従って、通信可能のままとすべきアンテナの数を判定するように構成される。
【００３３】
本発明の実施形態において提供されるモバイル端末アンテナを制御するための方法およびモバイル端末によって、サービスの開始コマンドまたは関連情報を受信すると、モバイル端末が通信可能とすべきアンテナの数が判定され、モバイル端末上の通信可能アンテナの数が柔軟に変更され、それによって、モバイル端末上の通信可能アンテナの数がサービスを実行するための要件を満たすことができない事態を防ぎ、不要なエネルギー損失を引き起こす、モバイル端末上の通信可能アンテナの数が過度となる事態も防ぎ、さらにモバイル端末上の通信可能アンテナの数が、周囲に悪影響を与えたり、モバイル端末の電気を過度に早く消費してモバイル端末の性能に影響を及ぼしたりするのをさらに防ぐことができる。
【図面の簡単な説明】
【００３４】
【図１】本発明の一実施形態による、アプリケーションシナリオの概略図である。
【図２】本発明による、モバイル端末アンテナのための制御方法の実施形態1の流れ図である。
【図３】本発明による、モバイル端末アンテナのための制御方法の実施形態2の流れ図である。
【図４】本発明による、モバイル端末アンテナのための制御方法の実施形態3の流れ図である。
【図５】本発明による、モバイル端末アンテナのための制御方法の実施形態4の流れ図である。
【図６】本発明による、モバイル端末アンテナのための制御方法の実施形態5の流れ図である。
【図７】本発明による、モバイル端末アンテナのための制御方法の実施形態6の流れ図である。
【図８】本発明による、モバイル端末アンテナのための制御方法の実施形態7の流れ図である。
【図９】本発明によるモバイル端末の実施形態1の構造図である。
【図１０】本発明によるモバイル端末の実施形態2の構造図である。
【図１１】本発明によるモバイル端末の実施形態3の構造図である。
【図１２】本発明によるモバイル端末の実施形態4の構造図である。
【発明を実施するための形態】
【００３５】
本発明の実施形態の目的、解決策、および利点をより明確にするために、以下、本発明の実施形態における添付の図面を参照しながら、本発明の実施形態における技術的解決策を明確に説明する。当然のことながら、説明される実施形態は、本発明の実施形態の一部に過ぎず、すべてではない。本発明の実施形態に基づいて、当業者によって創造的努力なしに得られるすべての他の実施形態は、本発明の保護範囲内に含まれるものとする。
【００３６】
図1は、本発明の一実施形態による、アプリケーションシナリオの概略図である。図1に示すように、本実施形態は、4G LTE、LTE−Advanced、およびMIMOなどの技術が使用され、かつモバイル端末（携帯電話やタブレットなど）上に一般的に配置されるアンテナの数が、少なくとも2つである、通信ネットワークに適用される。それに応じて、モバイル端末に通信サービスを提供するネットワークエレメント（基地局など）上に複数のアンテナが設けられる。例えば、N本のアンテナがモバイル端末上に配置され、ここで、Nは、少なくとも2以上の正の整数であり、またM本のアンテナが基地局上に配置され、ここで、Mは、少なくとも2以上の正の整数である場合、通信ネットワーク上のモバイル端末は、データストリームを送信するために、N本のアンテナを使用して、基地局のM本のアンテナと通信できる。モバイル端末がなんらかのサービスを実行する場合、1本のアンテナのみを通信可能とすることによって、サービス要件を満たすことができ、複数のアンテナを使用することで通信性能をある程度改善できるが、複数のアンテナを通信に関与させることで、通信の複雑さが増し、モバイル端末の電力消費が高くなり、ユーザがモバイル端末を使う際にユーザに不都合をもたらし、あるいは一部のケースでは、モバイル端末が複数のアンテナを通信可能としたために、モバイル端末付近の人やデバイスに過度の電磁放射がもたらされることが理解されよう。したがって、モバイル端末は、通信可能としたアンテナの数を適切に制御する必要があり、具体的な制御方式は、以下のとおりである。
【００３７】
図2は、本発明による、モバイル端末アンテナのための制御方法の実施形態1の流れ図である。図2に示すように、図1を参照してもよいが、本実施形態は、モバイル端末によって実行され、モバイル端末は、具体的には、携帯電話やタブレットなどである。本制御方法は、以下を特に含む。
【００３８】
S101：モバイル端末は、サービスの開始コマンドを取得する。
【００３９】
開始コマンドは、サービスのサービス信号であってよく、例えば、モバイル端末を使用するユーザがビデオプッシュサービスに加入した場合、ビデオサーバは、ビデオコンテンツをモバイル端末に定期的に送信するが、この場合、モバイル端末がビデオストリーム信号を受信した場合、ビデオストリーム信号は、開始コマンドとして使用されるサービス信号である。
【００４０】
あるいは、開始コマンドは、ユーザが入力した操作指示であってよく、操作指示は、サービスを実行するようにモバイル端末に指示するために使用され、例えば、ユーザが、モバイル端末のディスプレイ上の「ラジオ」アイコンをタップした場合、モバイル端末が受信したサービス開始コマンドは、操作指示「ラジオサービスを開始する」である。
【００４１】
S102：モバイル端末は、開始コマンドに従って、サービスのために通信可能とする必要があるアンテナの数を判定する。
【００４２】
モバイル端末が、開始コマンドに従って、現在実行する特定のサービスに関して確認し、それによって、開始するサービスで必要とされるアンテナの数を判定できる。例えば、モバイル端末が、現時点で4本のアンテナを通信可能とするが、この時、着信通知メッセージを受信した場合、モバイル端末は、実行するサービスがセッションサービスであると判定し、モバイル端末は、ネットワークの設定またはモバイル端末の能力に従って、セッションサービスの要件を満たすためには、1本（モバイル端末が2Gネットワーク上にある場合）または2本（モバイル端末がLTEネットワーク上にある場合）のアンテナを通信可能とする必要があると判定し、次いで、不要な通信可能アンテナを無効化してよい、すなわち、以下のS103がさらに行われる。
【００４３】
S103：モバイル端末は、サービスのために通信可能とする必要があるアンテナの数となるようにモバイル端末の通信可能アンテナの数を制御する。
【００４４】
S103を行う時または行った後、モバイル端末は、サービスを実行し始め、続いて、モバイル端末がサービスを終了するための情報を受信した場合、モバイル端末は、サービスを終了し、開始コマンドを受信する前の数に復帰するようにモバイル端末の通信可能アンテナの数を制御することにさらに留意されたい。
【００４５】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【００４６】
図3は、本発明による、モバイル端末アンテナのための制御方法の実施形態2の流れ図である。図3に示すように、本実施形態では、サービスの開始コマンドは、サービスのサービス信号であり、この場合、具体的なプロセスは、以下のとおりである。
【００４７】
S201：モバイル端末は、サービスのサービス信号を受信する。
【００４８】
S202：モバイル端末は、サービスのサービス信号に従って、サービスのために通信可能とする必要があるアンテナの数を判定する。
【００４９】
セッションサービスにおける着信通知メッセージがサービス信号として使用される例を用いて説明を行う。モバイル端末が着信通知メッセージを受信した場合、モバイル端末は、セッションサービスがこれから実行され、現在、モバイル端末が2Gネットワーク上に陣取っていることを確認し、この場合、モバイル端末は、1本のアンテナのみを通信可能とすることによってセッションサービスの要件を満たすことができ、したがって、モバイル端末は、S202を用いて、1本のアンテナを通信可能とすることを判定し、モバイル端末が、LTEネットワーク上に陣取っており、LTEネットワークに対応している場合、モバイル端末は、
2本のアンテナのみを通信可能とすることによってセッションサービスの要件を満たすことができ、したがって、モバイル端末は、S202を用いて、2本のアンテナを通信可能とすることを判定する。
【００５０】
S203：モバイル端末は、サービスのために通信可能とする必要があるアンテナの数となるようにモバイル端末の通信可能アンテナの数を制御する。
【００５１】
例えば、モバイル端末が、現時点で4本のアンテナを通信可能とするが、S202を用いて、通信可能とする必要があるアンテナの数は2本であると判定し、
次いで、S203において、モバイル端末は、2本のアンテナを無効化して、2本の通信可能アンテナを保持する。
【００５２】
サービス信号が、モバイル端末が加入しているプッシュサービスに従って、ビデオサーバがモバイル端末に送信したビデオストリーム信号である場合、モバイル端末は、S201からS203を用いて、ビデオサービスで必要とされるアンテナを通信可能とし、次いで、モバイル端末は、ビデオストリームを直接受信し、かつ再生する、すなわち、サービスを直接実行し、以下のS204からS209は行われないことがあることが理解されよう。しかしながら、ユーザ経験を改善するために、モバイル端末は、ユーザにサービスを開始するかどうかの判断を促す、例えば、サービス信号が着信通知メッセージである場合、モバイル端末は、「応答」および「拒否」などのオプションをディスプレイ上に表示して、ユーザにセッションサービスを開始するかどうかの判断を促す、すなわち、本実施形態では、以下のS204からS209を行う必要が依然としてある。
【００５３】
S204：モバイル端末は、ユーザにサービスを開始するかどうかの判断を促す。
【００５４】
S205：モバイル端末は、予め設定した時間内にユーザが入力した操作指示を受信したかどうかを判定し、受信していれば、S206を行い、受信していなければ、S209を行う。
【００５５】
ユーザが携帯電話をハンドバッグの中に入れており、着信していることに気づいていない、またはユーザがモバイル端末の近くにおらず、操作指示を適時入力できない場合、モバイル端末は、ユーザが操作指示を入力するのをいつまでも待ち続けることができないため、モバイル端末は、操作指示が予め設定した時間内に受信されたかどうかを判定する必要がある。
【００５６】
S206：モバイル端末は、受信した操作指示がサービスを開始せよとの指示である場合、S207を行い、そうでない場合、S209を行う。
【００５７】
「応答」および「拒否」などのオプションは、モバイル端末のディスプレイ上に表示される。ユーザが「応答」をタップした場合、モバイル端末は、ユーザがサービスを開始せよとの操作指示を入力したと判定する、またはユーザが「拒否」をタップした場合、モバイル端末は、ユーザがサービスを開始するためには使われない操作指示を入力したと判定する、すなわち、セッションサービスは開始される前に終了され、したがって、S209が行われる。
【００５８】
S207：モバイル端末は、サービスを実行する。
【００５９】
S208：モバイル端末は、サービスを終了するための情報を受信する。
【００６０】
例えば、モバイル端末がビデオストリームにおけるビデオデータの最後の部分を受信すると、ビデオサービスが終了する、またはユーザが通話を終了する場合に「切断」のオプションをタップすると、セッションサービスが終了する。
【００６１】
S209：モバイル端末は、サービス信号を受信する前の数に復帰するようにモバイル端末の通信可能アンテナの数を制御する。
【００６２】
S205において、ユーザが入力した操作指示が予め設定した時間内に受信されなかったとモバイル端末が判定した場合、サービスが実行される前に終了したとみなされ得、S206において、受信した操作指示がサービスを開始するためには使われない指示であるとモバイル端末が判定した場合、サービスが実行される前に終了したと同様にみなされ得、S208において、モバイル端末は、サービスを終了するための情報を受信する。したがって、ユーザが入力した操作指示が予め設定した時間内に受信されなかったとモバイル端末が判定した場合、または受信した操作指示がサービスを開始するためには使われない指示であるとモバイル端末が判定した場合、またはモバイル端末がサービスを実行し始めた後、モバイル端末は、サービスを終了するための情報を受信し、S209において、サービスを終了し、サービス信号を受信する前の数に復帰するようにモバイル端末の通信可能アンテナの数を制御するとみなされ得る。
【００６３】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【００６４】
図4は、本発明による、モバイル端末アンテナのための制御方法の実施形態3の流れ図である。図4に示すように、本実施形態では、サービスの開始コマンドは、操作指示であり、この場合、具体的なプロセスは、以下のとおりである。
【００６５】
S301：モバイル端末は、サービスに関連し、かつユーザが入力した操作指示を受信する。
【００６６】
S302：モバイル端末は、サービスに関連する操作指示に従って、サービスのために通信可能とする必要があるアンテナの数を判定する。
【００６７】
例えば、S301において、ユーザが「ラジオ」アイコンをタップした場合、モバイル端末は、ラジオサービスの視聴に関連し、ユーザが入力した操作指示を受信する、またはユーザが「電話」app（application、アプリケーション）アイコンおよび「連絡先」appアイコンをタップした場合、モバイル端末は、セッションサービスに関連する操作指示を受信し、次いでモバイル端末はサービスを実行し始める。したがって、本実施形態では、サービスに関連する操作指示は、開始コマンドであり、次いで、S302において、モバイル端末は、サービスに関連する操作指示に従って、サービスのために通信可能とする必要があるアンテナの数を判定する。
【００６８】
S303：モバイル端末は、サービスのために通信可能とする必要があるアンテナの数となるようにモバイル端末の通信可能アンテナの数を制御する。
【００６９】
ユーザが「連絡先」appをタップする例を用いると、モバイル端末は、S302を用いて、実行するサービスがセッションサービスであると判定するが、S302を用いて、セッションサービスのために通信可能とする必要があるアンテナの数が2本であると判定し、次いで、S303において、モバイル端末は、2本のアンテナを無効化して、2本の通信可能アンテナを保持する。
【００７０】
サービスに関連する操作指示が「ラジオ」appをタップすることである場合、モバイル端末は、S301からS303を用いて、ラジオサービスを視聴するために要求されるアンテナを通信可能とし、サービスを直接実行し、以下のS304からS309は行わないことが理解されよう。一部のサービスについては、ユーザ経験を改善するために、またはユーザが入力した操作指示がユーザが誤って押したことによるものであることを避けるために、サービスを実行する前に、モバイル端末は、続く操作指示を受信して、ユーザがサービスの開始を決定していると判定する必要がさらにある。例えば、ユーザが「連絡先」appアイコンをタップした後、モバイル端末は、複数の連絡先オプションと「戻る」オプションをユーザに表示し、モバイル端末は、連絡先の次に表示され連絡先のオプションに対応するダイヤルオプションをユーザがさらにタップするまでは、ユーザがセッションサービスの開始を決定したとは確認しない、またはユーザが「戻る」オプションを選択した場合、これは、ユーザがセッションサービスを開始しないと決定したことを示す。S304からS309に詳細を示す。
【００７１】
S304：モバイル端末は、ユーザに続く操作指示の入力を促す。
【００７２】
S305：モバイル端末は、予め設定した時間内にユーザが入力した続く操作指示を受信したかどうかを判定し、受信した場合、S306を行い、受信しなかった場合、S309を行う。
【００７３】
ユーザが気づかずに誤ってアイコンを押し、場合にユーザが続く操作指示を適時入力できない場合、モバイル端末は、ユーザが続く操作指示を入力するのをいつまでも待ち続けることができないため、モバイル端末は、続く操作指示が予め設定した時間内に受信されたかどうかを判定する必要がある。
【００７４】
S306：モバイル端末は、受信した続く操作指示がサービスを開始せよとの指示であるかどうかを判定し、そうである場合、S307を行い、そうでない場合、S309を行う。
【００７５】
複数の連絡先オプションおよび連絡先オプションに対応するダイヤルオプションが、モバイル端末のディスプレイ上に表示される一方、「戻る」および「ブラックリストに追加」などのオプションもある。ユーザが「ダイヤル」オプションをタップした場合、モバイル端末は、ユーザがサービスを開始せよとの続く操作指示を入力したと判定する、またはユーザが「戻る」または「ブラックリストに追加」などのオプションをタップした場合、モバイル端末は、ユーザがサービスを開始するためには使われない続く操作指示を入力したと判定する、すなわち、セッションサービスは開始される前に終了され、したがって、S309が行われる。
【００７６】
S307：モバイル端末は、サービスを実行する。
【００７７】
S308：モバイル端末は、サービスを終了するための情報を受信する。
【００７８】
具体的には、S208を参照されたい。
【００７９】
S309：モバイル端末は、操作指示を受信する前の数に復帰するようにモバイル端末の通信可能アンテナの数を制御する。
【００８０】
S305において、ユーザが入力した続く操作指示が予め設定した時間内に受信されなかったとモバイル端末が判定した場合、サービスが実行される前に終了したとみなされ得、S306において、受信した続く操作指示がサービスを開始するためには使われない指示であるとモバイル端末が判定した場合、サービスが実行される前に終了したと同様にみなされ得、S308において、モバイル端末は、サービスを終了するための情報を受信する。したがって、ユーザが入力した操作指示が予め設定した時間内に受信されなかったとモバイル端末が判定した場合、または受信した操作指示がサービスを開始するためには使われない指示であるとモバイル端末が判定した場合、またはモバイル端末がサービスを実行し始めた後、モバイル端末は、サービスを終了するための情報を受信し、S309において、サービスを終了し、サービス信号を受信する前の数に復帰するようにモバイル端末の通信可能アンテナの数を制御するとみなされ得る。
【００８１】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要な電力消費を引き起こしモバイル端末の性能に影響を及ぼす、モバイル端末上の通信可能アンテナの数が過度となる事態も防ぐ。
【００８２】
上記実施形態では、受信したサービス信号またはサービスに関連する操作指示は、開始コマンドとして使用される。一部のケースでは、モバイル端末がサービス信号またはサービスに関連する操作指示を受信した場合、モバイル端末は、サービスの実行を準備するだけであって、直ちにサービスを実行することはしないけれども、ユーザにサービスを効率よく提供するためには、モバイル端末は、実行するサービスのために通信可能とする必要があるアンテナの数となるようにモバイル端末の通信可能アンテナの数を依然として直ちに制御する。しかしながら、一部のケースでは、サービスに関連する操作指示がユーザが誤って押した結果であったり、サービス信号を受信したが、ユーザがすぐに指示を出せない場合、すなわち、モバイル端末が予め設定した時間内に操作指示を受信しない場合、モバイル端末は、開始コマンドを受信する前の数に通信可能アンテナの数を復帰するように制御される必要がある。このプロセスでは、モバイル端末において、通信可能とする／オフにするという不要な制御が生じる。モバイル端末によってアンテナを通信可能とする／オフにするという制御は、オーバーヘッドも必要とし、通信可能とする／オフにするという不要な制御は、オーバーヘッドの浪費を生じ、したがって、好ましくは、アンテナを通信可能とする／オフにするという制御は、図5または図6に示す実施形態を用いてさらに行われてよい。
【００８３】
図5は、本発明による、モバイル端末アンテナのための制御方法の実施形態4の流れ図である。図5に示すように、本実施形態は、以下を含む。
【００８４】
S401：モバイル端末は、サービスのサービス信号を受信する。
【００８５】
S402：モバイル端末は、ユーザにサービスを開始するかどうかの判断を促す。
【００８６】
S403：モバイル端末は、予め設定した時間内にユーザが入力した操作指示を受信したかどうかを判定し、受信した場合、S404を行い、受信しなかった場合、プロセスを終了する。
【００８７】
着信通知メッセージをサービス信号の例として用いると、ユーザが携帯電話をハンドバッグの中に入れており、着信していることに気づいていない、またはユーザがモバイル端末の近くにおらず、操作指示を適時入力できない場合、モバイル端末は、ユーザが操作指示を入力するのをいつまでも待ち続けることができないため、モバイル端末は、操作指示が予め設定した時間内に受信されたかどうかを判定する必要がある。
【００８８】
S404：モバイル端末は、受信した操作指示がサービスを開始せよとの指示であるかどうかを判定し、そうである場合、S405を行い、そうでない場合、プロセスを終了する。
【００８９】
「応答」および「拒否」などのオプションは、モバイル端末のディスプレイ上に表示される。ユーザが「応答」をタップした場合、モバイル端末は、ユーザがサービスを開始せよとの操作指示を入力したと判定する、またはユーザが「拒否」をタップした場合、モバイル端末は、ユーザがサービスを開始するためには使われない操作指示を入力したと判定する、すなわち、セッションサービスは開始される前に終了され、本実施形態は終了する。
【００９０】
S405：モバイル端末は、操作指示を開始コマンドとして使用し、開始コマンドに従って、サービスのために通信可能とする必要があるアンテナの数を判定する。
【００９１】
すなわち、モバイル端末は、予め設定した時間内に受信した操作指示がサービスを開始せよとの指示であると判定し、次いで、操作指示を開始コマンドとして使用する。
【００９２】
S406：モバイル端末は、サービスのために通信可能とする必要があるアンテナの数となるようにモバイル端末の通信可能アンテナの数を制御する。
【００９３】
S406を行う場合、モバイル端末は、サービスを同時に行う。
【００９４】
S407：モバイル端末は、サービスを終了するための情報を受信する。
【００９５】
S408：モバイル端末は、開始コマンドを受信する前の数に復帰するようにモバイル端末の通信可能アンテナの数を制御する。
【００９６】
同時に、モバイル端末は、サービスを終了する。
【００９７】
本実施形態では、サービス信号を受信した場合、通信可能としたアンテナの数は直ちに変更されない。ユーザが入力した、サービスを開始せよとの操作指示を受信した場合、サービスを開始せよとの操作指示が開始コマンドとして使用される。他のステップは、図3に示す実施形態における対応するステップと同様である。詳細については、図3に示す実施形態における対応するステップを参照できる。本実施形態では、サービスを開始するための操作指示を開始コマンドとして使用し、このことにより、アンテナを通信可能とする／オフにする不要なオーバーヘッドを避けることができる。
【００９８】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要な電力消費を引き起こしモバイル端末の性能に影響を及ぼす、モバイル端末上の通信可能アンテナの数が過度となる事態も防ぐ。
【００９９】
図6は、本発明による、モバイル端末アンテナのための制御方法の実施形態5の流れ図である。図6に示すように、本実施形態は、以下を含む。
【０１００】
S501：モバイル端末は、サービスに関連し、かつユーザが入力した操作指示を受信する。
【０１０１】
S502：モバイル端末は、サービスに関連する操作指示に従って、ユーザに続く操作指示の入力を促す。
【０１０２】
S503：モバイル端末は、予め設定した時間内にユーザが入力した続く操作指示を受信したかどうかを判定し、受信した場合、S504を行い、受信しなかった場合、プロセスを終了する。
【０１０３】
ユーザが気づかずに誤ってアイコンを押し、場合にユーザが続く操作指示を適時入力できない場合、モバイル端末は、ユーザが続く操作指示を入力するのをいつまでも待ち続けることができないため、モバイル端末は、続く操作指示が予め設定した時間内に受信されたかどうかを判定する必要があり、そうである場合、S504を行い、そうでない場合、プロセスを終了する。
【０１０４】
S504：モバイル端末は、受信した続く操作指示がサービスを開始せよとの指示であるかどうかを判定し、そうである場合、S505を行い、そうでない場合、プロセスを終了する。
【０１０５】
複数の連絡先オプションおよび連絡先オプションに対応するダイヤルオプションが、モバイル端末のディスプレイ上に表示される一方、「戻る」および「ブラックリストに追加」などのオプションもある。ユーザが「ダイヤル」オプションをタップした場合、モバイル端末は、ユーザがサービスを開始せよとの続く操作指示を入力したと判定する、またはユーザが「戻る」または「ブラックリストに追加」などのオプションをタップした場合、モバイル端末は、ユーザがサービスを開始するためには使われない続く操作指示を入力したと判定し、本実施形態を終了する。
【０１０６】
S505：モバイル端末は、サービスを開始するために続く操作指示を開始コマンドとして使用し、開始コマンドに従って、サービスのために通信可能とする必要があるアンテナの数を判定する。
【０１０７】
モバイル端末は、サービスを開始せよとの続く操作指示を受信し、したがって、サービスを開始せよとの続く操作指示を開始コマンドとして使用する。
【０１０８】
S506：モバイル端末は、サービスのために通信可能とする必要があるアンテナの数となるようにモバイル端末の通信可能アンテナの数を制御する。
【０１０９】
同時に、サービスが実行される。
【０１１０】
S507：モバイル端末は、サービスを終了するための情報を受信する。
【０１１１】
S508：モバイル端末は、開始コマンドを受信する前の数に復帰するようにモバイル端末の通信可能アンテナの数を制御する。
【０１１２】
同時に、モバイル端末は、サービスを終了する。
【０１１３】
図4に示す実施形態と比べ、本実施形態では、サービスに関連する操作指示を受信した場合、通信可能としたアンテナの数は直ちに変更されない。ユーザが入力した、サービスを開始せよとの続く操作指示を受信した場合、サービスを開始せよとの操作指示が開始コマンドとして使用される。他のステップは、図4に示す実施形態における対応するステップと同様である。詳細については、図4に示す実施形態における対応するステップを参照できる。本実施形態では、サービスを開始するための続く操作指示を開始コマンドとして使用し、このことにより、アンテナを通信可能とする／オフにする不要なオーバーヘッドを避けることができる。
【０１１４】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【０１１５】
図7は、本発明による、モバイル端末アンテナのための制御方法の実施形態6の流れ図である。図7に示すように、本実施形態は、以下を含む。
【０１１６】
S601：モバイル端末は、関連情報を取得する。
【０１１７】
関連情報は、以下の情報、すなわち、モバイル端末に関連する環境情報と、モバイル端末の関連パラメータと、モバイル端末の現在の作業モードとのうちの少なくともいずれかである。
【０１１８】
S602：モバイル端末は、関連情報に従って、通信可能のままとすべきアンテナの数を判定する。
【０１１９】
具体的には、モバイル端末が取得した関連情報が関連パラメータであり、関連パラメータは、モバイル端末の放射が過度であることを示し、これは、ユーザに悪影響を容易に与える。したがって、一部のアンテナを無効化することによって、放射を減らす必要がある。例えば、モバイル端末が、現在4本のアンテナを通信可能とし、モバイル端末の過度の放射を引き起こしている場合、S602を用いて、通信可能のままとするべきアンテナの数は2本であると判定し、したがって、S603を用いて、2本のアンテナを無効化する。
【０１２０】
S603：モバイル端末は、関連情報に対応するアンテナの数となるようにモバイル端末の通信可能アンテナの数を制御する。
【０１２１】
本実施形態では、モバイル端末は、関連情報に従って、通信可能のままとすべきアンテナの数を判定し、かつモバイル端末上の通信可能アンテナの数を柔軟に変更し、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１２２】
図8は、本発明による、モバイル端末アンテナのための制御方法の実施形態7の流れ図である。図8に示すように、図7に示す実施形態に基づいて、本実施形態は、さらに詳細な説明を提供するものであり、具体的には、以下を含む。
【０１２３】
S701：モバイル端末は、関連情報を取得する。
【０１２４】
S702：モバイル端末は、関連情報を予め設定した条件と比較し、関連情報が予め設定した条件を満たすかどうかを判定し、満たす場合、S703を行い、満たさない場合、プロセスを終了する。
【０１２５】
具体的には、関連情報が、具体的には関連パラメータに反映される放射強度である場合、予め設定した条件は、予め設定した放射閾値よりも大きい。S702を用いて、放射強度が予め設定した放射閾値よりも大きいと判定された場合、S703が行われ、そうでなければ、モバイル端末が現在通信可能としたアンテナの数が付近のユーザに影響しないと判定された場合、アンテナを無効化する必要はなく、本実施形態を終了する。あるいは、モバイル端末はS703を行う、すなわち、モバイル端末が現在通信可能としたアンテナの数が付近のユーザに影響しない場合、関連情報に従って、通信可能のままとすべきアンテナの数を関連情報を取得する前の数と同じに維持すると判定される、とみなすことができる。関連情報が、具体的には関連パラメータに反映される信号強度である場合、予め設定した条件は、予め設定した信号閾値未満である。S702を用いて、信号強度が予め設定した信号閾値未満であると判定された場合、S703が行われて、モバイル端末がユーザにサービスを正常に提供することを確実にするためにより多くのアンテナを有効化し、そうでなければ、モバイル端末が現在通信可能としたアンテナの数がモバイル端末の正常動作のための要件を満たすことを示す場合、アンテナを通信可能とする制御を行う必要はなく、本実施形態を終了する。あるいは、モバイル端末はS703を行う、すなわち、モバイル端末の現在の信号強度が予め設定した信号閾値よりも大きい場合、S703を用いて、通信可能アンテナの数増やす必要はないと判定する、すなわち、関連情報に従って、通信可能のままとすべきアンテナの数を関連情報を取得する前の数と同じに維持すると判定される、とみなすことができる。
【０１２６】
関連情報が予め設定した条件を満たさない場合、モバイル端末上で通信可能としたアンテナの数を変える必要はないことを示し、次いで本実施形態を終了する。あるいは、換言すると、S703およびS704は依然として行われる、すなわち、S703を用いて、予め設定した条件を満たさない関連情報に従って、通信可能アンテナの数を関連情報を取得する前の数と同じに維持すると判定され、次いで、S704において、モバイル端末は、通信可能アンテナの数をS701の前の数と同じになるように維持するように制御される。
【０１２７】
S703：モバイル端末は、関連情報に従って、通信可能のままとすべきアンテナの数を判定する。
【０１２８】
S704：モバイル端末は、関連情報に対応するアンテナの数となるようにモバイル端末の通信可能アンテナの数を制御する。
【０１２９】
さらに、関連情報は、以下の情報、すなわち、モバイル端末に関連する環境情報と、モバイル端末の関連パラメータと、モバイル端末の現在の作業モードとのうちの少なくともいずれかである。これに伴い、可能な関連情報に関するケースが5つある：
第1のケース：関連情報が、端末に関連する環境情報であり、環境情報が、モバイル端末の放射内のユーザである場合、予め設定した条件は、予め設定した生体情報である；
第2のケース環境情報が、モバイル端末が置かれるシナリオである場合、予め設定した条件は、予め設定した制限シナリオである；
第3のケース：関連情報が、端末の関連パラメータであり、関連パラメータが、モバイル端末の放射強度である場合、予め設定した条件は、予め設定した放射閾値よりも大きい；
第4のケース：関連パラメータが、モバイル端末の信号強度である場合、予め設定した条件は、予め設定した信号閾値未満である；
第5のケース：関連パラメータが、モバイル端末の現在の作業モードである場合、予め設定した条件は、予め設定した作業モードである。
【０１３０】
第1のケースについては、以下のステップを用いて、S701からS702の具体的な実行プロセスを表す。
【０１３１】
S11a：モバイル端末は、第三者装置が送信したユーザ特徴を受信する。
【０１３２】
第三者装置は、インテリジェント・ウェアラブル・デバイスであり、第三者装置は、モバイル端末のユーザや付近にいる人のユーザ特徴を取得でき、具体的には、大人、お年寄り、妊娠中の女性、子供などである。
【０１３３】
あるいは、S11aをS11bと置き換えることもできる。
【０１３４】
S11b：モバイル端末は、ユーザが入力した操作指示または取得したユーザ情報を解析して、ユーザ特徴を取得する。
【０１３５】
例えば、操作指示は、「妊娠中の女性のためのウェブページにアクセスする」ことや「お年寄りのためのヘルスケア」appを開くことであり、そして、操作指示の解析後、キーワード「妊娠中の女性」または「お年寄り」が取得され、モバイル端末を使用するユーザが妊娠中の女性またはお年寄りであることが示され、次いで、S12を用いて、ユーザ特徴として使用されたこれらのキーワードが予め設定した生体情報を満たすかどうかが判定される。
【０１３６】
ユーザ情報は、ユーザによって入力される、または第三者装置によって送信され、例えば、ユーザは、モバイル端末の、のカメラまたは温度センサを使用して、モバイル端末を使用するユーザの顔画像および体温、もしくはモバイル端末付近にいる人の顔画像および体温などのユーザ情報を取得する、またはインテリジェント・ウェアラブル・デバイスなどの第三者装置が、ユーザの体温、皮膚湿度、弾力性などのユーザ情報を収集し、次いでユーザ情報の解析の後、モバイル端末は、ユーザ特徴を取得する、すなわち、ユーザ情報に従って判定されたユーザ特徴は、具体的には、お年寄り、子供、妊娠中の女性、もしくは大人などの生物学的特徴である。
【０１３７】
S12：モバイル端末は、ユーザ特徴を予め設定した生体情報と比較し、ユーザ特徴が予め設定した生体情報を満たすかどうかを判定し、満たす場合、S703を行い、満たさない場合、プロセスを終了する。
【０１３８】
例えば、予め設定した生体情報は、具体的には、高齢者、子供、および妊娠中の女性を含む。S11を用いて取得されたユーザ特徴が、お年寄りである場合、S12を用いて、ユーザ特徴が、予め設定した生体情報を満たすと判定され、したがって、いくつかのアンテナを無効化して、お年寄りへの放射を減らす必要がある。ユーザ特徴が大人であった場合、どのアンテナも無効化する必要はない、すなわち、本実施形態を終了する、または換言すると、モバイル端末は、S703からS704を依然として行い続け、この場合、S703を用いて、大人については通信可能アンテナの数を変更する必要はないと判定され、次いで、S704において、通信可能アンテナの数は、関連情報を取得する前の数と同じに維持される。
【０１３９】
第2のケースについては、以下のステップを用いて、S701からS702の具体的な実行プロセスを表す。
【０１４０】
S21：モバイル端末は、シナリオ情報を取得する。
【０１４１】
シナリオ情報は、モバイル端末上のセンサまたはカメラを用いて取得される。
【０１４２】
S22：モバイル端末は、シナリオ情報を予め設定した制限シナリオと比較し、シナリオ情報が予め設定した制限シナリオを満たすかどうかを判定し、満たす場合、S703を行い、満たさない場合、プロセスを終了する。
【０１４３】
予め設定した制限シナリオは、モバイル端末からの放射の干渉を制限する必要がある病院および空港などのいくつかのシナリオである。例えば、病院の識別子、空港の識別子、子供、妊娠中の女性、お年寄りなどがカメラで撮影した画像に現れた場合、モバイル端末の画像解析を通じて、通信装置が、病院や空港などの環境に置かれている、または子供、妊娠中の女性、お年寄りなどが周囲にいることが確認され、モバイル端末は、S703を行い続ける。あるいは、シナリオ情報が、予め設定した制限シナリオによって規定されるいかなるシナリオでもない場合、アンテナを通信可能とする／オフにするという制御を行う必要はない、すなわち、本実施形態を終了する、または換言すると、モバイル端末は、S703からS704を依然として行い続け、この場合、S703を用いて、予め設定した制限シナリオによって規定されていないいかなるシナリオについても通信可能アンテナの数を変更する必要はないと判定され、次いで、S704において、通信可能アンテナの数は、関連情報を取得する前の数と同じに維持される。
【０１４４】
第3のケースについては、以下のステップを用いて、S701からS702の具体的な実行プロセスを表す。
【０１４５】
S31：モバイル端末は、それ自身で放射強度を検出して、モバイル端末の現在の放射強度を取得する。
【０１４６】
S32：モバイル端末は、モバイル端末の検出される放射強度を予め設定した放射閾値と比較し、モバイル端末の放射強度が、予め設定した放射閾値よりも大きいかどうかを判定し、そうであれば、S703を行い、そうでなければ、プロセスを終了する。プロセスを終了することはまた、S703からS704を行い続けること、すなわち、放射強度は、予め設定した放射閾値よりも大きくない、と解釈でき、S703を用いて、大人については通信可能アンテナの数を変更する必要はないと判定され、次いで、S704において、通信可能アンテナの数は、関連情報を取得する前の数と同じに維持される。
【０１４７】
第4のケースについては、以下のステップを用いて、S701からS702の具体的な実行プロセスを表す。
【０１４８】
S41：モバイル端末は、それ自身で信号強度を検出して、モバイル端末の現在の信号強度を取得する。
【０１４９】
S42：モバイル端末は、モバイル端末の検出される信号強度を予め設定した信号閾値と比較し、モバイル端末の信号強度が、予め設定した信号閾値よりも大きいかどうかを判定し、そうであれば、S703を行い、そうでなければ、プロセスを終了する。プロセスを終了することはまた、S703からS704を行うことと解釈できる、すなわち、放射強度が予め設定した放射閾値よりも大きい場合、S703を用いて、通信可能アンテナの数を変更する必要はないと判定され、次いで、S704において、通信可能アンテナの数は、関連情報を取得する前の数と同じに維持される。
【０１５０】
第5のケースについては、以下のステップを用いて、S701からS702の具体的な実行プロセスを表す。
【０１５１】
S51：モバイル端末は、現在の作業モードを取得する。
【０１５２】
現在の作業モード、例えば、フライトモード、節電モード、通常モード、または拡張モードは、ユーザによって設定され、この場合、予め設定した作業モードは、通信可能とするアンテナの数を制御する必要があるモード、例えば、フライトモード、節電モード、通常モード、または拡張モードを含む。例えば、通常モードは、一般的に、モバイル端末のデフォルトモードであり、4本のアンテナは、通信可能に維持され、フライトモードでは、すべてのアンテナを無効化する必要があり、節電モードでは、1本のアンテナのみを通信可能とする必要があり、拡張モードでは4本以上のアンテナを通信可能とする必要があり、加えて、節電モードでは、モバイル端末によって設定されてもよく、例えば、モバイル端末の残りの電気量が予め設定した電気量閾値未満であるとモバイル端末が検出した場合、モバイル端末によって節電モードが設定される。
【０１５３】
S52：モバイル端末は、モバイル端末の現在の作業モードを予め設定した作業モードと比較し、現在の作業モードが予め設定した現在の作業モードを満たすかどうかを判定し、満たす場合、S703を行い、満たさない場合、プロセスを終了する。プロセスを終了することはまた、S703からS704を行うことと解釈できる、すなわち、現在の作業モードは、予め設定した作業モードにおけるいずれのモードでもなく、例えば、現在の作業モードが通常モードである場合、S703を用いて、デフォルトの通信可能アンテナの数のみを維持する必要があり、通信可能アンテナの数を変更する必要はないと判定され、次いで、S704において、通信可能アンテナの数は、関連情報を取得する前の数と同じに維持される。
【０１５４】
本実施形態では、モバイル端末は、関連情報に従って、通信可能のままとすべきアンテナの数を判定し、かつモバイル端末上の通信可能アンテナの数を柔軟に変更し、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１５５】
図9は、本発明によるモバイル端末の実施形態1の構造図である。図9に示すように、モバイル端末600は、
サービスの開始コマンドを取得するように構成される取得モジュール61と、
開始コマンドに従って、サービスのために通信可能とする必要があるアンテナの数を判定するように構成される判定モジュール62と、
サービスのために通信可能とする必要があるアンテナの数となるようにモバイル端末の通信可能アンテナの数を制御するように構成される処理モジュール63と、
を含む。
【０１５６】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【０１５７】
図10は、本発明によるモバイル端末の実施形態2の構造図である。図10に示すように、図9に示す実施形態に基づいて、本実施形態は、さらに詳細な説明を提供するものであり、具体的には、
取得モジュール61は、サービスのサービス信号を受信するように特に構成され、サービスのサービス信号は、開始コマンドである。
【０１５８】
さらに、本モバイル端末は、提示モジュール64と判断モジュール65とをさらに含み、
提示モジュール64は、ユーザにサービスを開始するかどうかの判断を促すように構成され、
予め設定した時間内にユーザが入力した操作指示を取得モジュール61が受信していないと判断モジュール65が判定した場合、またはユーザが入力し、予め設定した時間内に取得モジュール61が受信した操作指示が、サービスを開始せよとの指示ではないと判断モジュール65が判定した場合、
処理モジュール63は、サービス信号を受信する前の数に復帰するようにモバイル端末の通信可能アンテナの数を制御する。
【０１５９】
さらに、取得モジュール61は、サービスのサービス信号を受信するようにさらに構成され、
提示モジュール64は、ユーザにサービスを開始するかどうかの判断を促すように構成され、
取得モジュール61は、ユーザが入力した操作指示を受信するように構成され、
判断モジュール65は、操作指示がサービスを開始せよとの指示であるかどうかを判定するように構成され、次いで、取得モジュール61は、操作指示を開始コマンドとして使用するように特に構成される。
【０１６０】
さらに、取得モジュール61は、
サービスに関連し、かつユーザが入力した操作指示を受信するように特に構成され、サービスに関連する操作指示は、開始コマンドである。
【０１６１】
場合により、提示モジュール64は、ユーザに続く操作指示の入力を促すように構成され、
予め設定した時間内にユーザが入力した続く操作指示を取得モジュール61が受信していないと判断モジュール65が判定した場合、またはユーザが入力し、予め設定した時間内に続く取得モジュール61が受信した操作指示が、サービスを開始せよとの指示ではないと判断モジュール65が判定した場合、
処理モジュール63は、サービス信号を受信する前の数に復帰するようにモバイル端末の通信可能アンテナの数を制御するように構成される。
【０１６２】
場合により、取得モジュール61は、サービスに関連し、かつユーザが入力した操作指示を受信し、
提示モジュール64は、サービスに関連する操作指示に従って、ユーザに続く操作指示の入力を促し、
判断モジュール65は、サービスを開始せよとの続く操作指示を取得モジュール61が受信し、次いで、取得モジュール61は、サービスを開始せよとの続く操作指示を開始コマンドとして使用する。
【０１６３】
さらに、取得モジュール61は、サービスを終了するための情報を受信するようにさらに構成され、
処理モジュール63は、サービスを終了し、開始コマンドを受信する前の数に復帰するようにモバイル端末の通信可能アンテナの数を制御する。
【０１６４】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼす、モバイル端末上の通信可能アンテナの数が過度となる事態も防ぐ。
【０１６５】
図11は、本発明によるモバイル端末の実施形態3の構造図である。図11に示すように、本実施形態におけるモバイル端末700は、
関連情報を取得するように構成される取得モジュール71であって、関連情報は、以下の情報、すなわち、モバイル端末に関連する環境情報と、モバイル端末の関連パラメータと、モバイル端末の現在の作業モードとのうちの少なくともいずれかである、取得モジュール71と、
関連情報に従って、通信可能のままとすべきアンテナの数を判定するように構成される判定モジュール72と、
関連情報に対応するアンテナの数となるようにモバイル端末の通信可能アンテナの数を制御するように構成される処理モジュール73と、
を含む。
【０１６６】
さらに、判定モジュール72は、関連情報を予め設定した条件と比較し、関連情報が、予め設定した条件を満たすかどうかを判定するようにさらに構成され、
関連情報が、端末に関連する環境情報であり、環境情報が、モバイル端末の放射内のユーザである場合、予め設定した条件は、予め設定した生体情報であり、
環境情報が、モバイル端末が置かれるシナリオである場合、予め設定した条件は、予め設定した制限シナリオであり、
関連情報が、端末の関連パラメータであり、関連パラメータが、モバイル端末の放射強度である場合、予め設定した条件は、予め設定した放射閾値よりも大きく、
関連パラメータが、モバイル端末の信号強度である場合、予め設定した条件は、予め設定した信号閾値未満であり、
関連パラメータが、モバイル端末の現在の作業モードである場合、予め設定した条件は、予め設定した作業モードである。
【０１６７】
さらに、環境情報が、モバイル端末の放射内のユーザである場合、判定モジュール72は、
第三者装置が送信したユーザ特徴を予め設定した生体情報と比較し、第三者装置が送信したユーザ特徴が、予め設定した生体情報を満たすかどうかを判定するように特に構成される、または
取得モジュール71は、ユーザが入力した操作指示または取得したユーザ情報を解析して、ユーザ特徴を取得するようにさらに構成され、
判定モジュール72は、ユーザ特徴を予め設定した生体情報と比較し、ユーザ特徴が、予め設定した生体情報を満たすかどうかを判定するようにさらに構成され、ユーザ情報が、ユーザによって入力される、または第三者装置によって送信され、
ユーザ特徴が、予め設定した生体情報を満たす場合、処理モジュール73は、関連情報に従って、通信可能のままとすべきアンテナの数を判定するように構成される。
【０１６８】
環境情報が、モバイル端末が置かれるシナリオである場合、判定モジュール72は、シナリオ情報を予め設定した制限シナリオと比較し、シナリオ情報が予め設定した制限シナリオを満たすかどうか判定するように特に構成され、
シナリオ情報は、モバイル端末上のセンサまたはカメラを用いて取得され、
シナリオ情報が、予め設定した制限シナリオを満たす場合、処理モジュール73は、関連情報に従って、通信可能のままとすべきアンテナの数を判定するように構成される。
【０１６９】
関連パラメータが、モバイル端末の放射強度である場合、判定モジュール72は、モバイル端末の検出される放射強度を予め設定した放射閾値と比較し、モバイル端末の放射強度が、予め設定した放射閾値よりも大きいかどうかを判定するように特に構成され、
モバイル端末の放射強度が、予め設定した放射閾値よりも大きい場合、処理モジュール73は、関連情報に従って、通信可能のままとすべきアンテナの数を判定するように構成される、または
関連パラメータが、モバイル端末の信号強度である場合、判定モジュール72は、モバイル端末の検出される信号強度を予め設定した信号閾値と比較し、モバイル端末の信号強度が、予め設定した信号閾値未満であるかどうかを判定するように特に構成され、
モバイル端末の放射強度が、予め設定した放射閾値よりも大きい場合、処理モジュール73は、関連情報に従って、通信可能のままとすべきアンテナの数を判定するように構成される。
【０１７０】
関連パラメータが、モバイル端末の現在の作業モードである場合、判定モジュール72は、モバイル端末の現在の作業モードを作業モードと比較し、現在の作業モードが予め設定した作業モードを満たすかどうかを判定し、現在の作業モードは、ユーザによって設定される、またはモバイル端末の残りの電気量が予め設定した電気量閾値未満であるとモバイル端末が検出した場合にモバイル端末によって設定され、
モバイル端末の現在の作業モードが、予め設定した現在の作業モードを満たす場合、処理モジュール73は、関連情報に従って、通信可能のままとすべきアンテナの数を判定するように構成される。
【０１７１】
本実施形態では、モバイル端末は、関連情報に従って、通信可能のままとすべきアンテナの数を判定し、かつモバイル端末上の通信可能アンテナの数を柔軟に変更し、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１７２】
モバイル端末の実施形態におけるモジュールは、図2から図8に示す方法実施形態におけるステップを対応して行うものであり、具体的な実行プロセスおよび有益な効果については、方法実施形態を参照できることにさらに留意する必要がある。
【０１７３】
図12は、本発明によるモバイル端末の実施形態4の構造図である。図12に示すように、本実施形態におけるモバイル端末は、一例に過ぎない。実際の適用においては、モバイル端末は、スマートフォン、iPadなどであることが理解されよう。異なるモバイル端末内のモジュールおよび部品は同じではないため、実際には、モバイル端末は、図12に示す部品よりも多いまたは少ない部品を有してもよいし、2つ以上の部品を組み合わせてもよいし、異なる部品構成を有してもよい。図12に示す部品は、ハードウェア、ソフトウェア、またはハードウェアとソフトウェアとの組み合わせにおいて実装されてよく、これには、1つ以上の信号処理および／または特定用途向け集積回路を含んでよい。
【０１７４】
モバイル端末800は、少なくとも2本のアンテナ81と、少なくとも1つのプロセッサ82と、メモリ83と、センサ84と、I／Oインターフェース85と、通信モジュール86と、少なくとも1つの通信バス87とを含む。さらに、モバイル端末は、別の機能コンポーネント、例えば、バッテリ管理のためのバッテリモジュール、ユーザ設定管理モジュール、またはパラメータ検出モジュールをさらに含み、通信バス87は、モジュールやコンポーネントどうしの接続通信を実現するように構成される。メモリ83は、不揮発性固体メモリおよび／またはダイナミック不揮発性記憶装置、例えば、フラッシュメモリ、または回転可能な磁気ディスクドライブを含み得る。センサ84は、温度センサおよび湿度センサなどの様々なセンサを含み、かつモバイル端末を使用するユーザの体温および皮膚湿度などの情報を測定するように構成され、通信モジュール86は、GSM（Global System for Mobile communication）、CDMA（Code Division Multiple Access）、GPRS（General Packet Radio Service）、またはEDGE（Enhanced Data Rate for GSM Evolution）などの長距離通信、WCDMA（Wideband Code Division Multiple Access）またはTD−SCDMA（Time Division−Synchronous Code Division Multiple Access）などの3G技術、LTE（Long Term Evolution）などの4G技術などのために使用されてよく、通信モジュール86は、短距離通信のためにさらに使用されてよく、近くにある第三者装置（インテリジェント・ウェアラブル・デバイスなど）とZigBee、UWB、Wi−Fi、Bluetooth、NFC、および赤外線通信などの短距離無線通信を行ってよく、通信モジュール86と連携するアンテナ81は、信号を受信および送信するように構成される。
【０１７５】
具体的には、I／Oインターフェース85は、表示および入力用のタッチスクリーン851、入力用のI／Oキーボード852（任意）、マイクロホン853、カメラ854などを含む。
【０１７６】
具体的には、メモリ83は、オペレーティングシステム4021とアプリケーションプログラム4022とを含み、オペレーティングシステム4021は、様々なオペレーティングシステムプログラムを含み、これらは、ハードウェアに基づく様々な操作を実現するために使用され、アプリケーションプログラム4022は、様々なアプリケーションプログラムを含み、これらは、様々なアプリケーション機能、例えば、アンテナを通信可能とする／オフにするための制御プログラムと、サービス識別プログラムと、ユーザ特徴識別プログラムと、関連情報識別プログラムとを実現するために使用され、サービス識別プログラムは、ユーザが入力した操作またはモバイル端末が受信したサービス信号に従って、モバイル端末が実行しようとしているサービスを識別してよく、ユーザ特徴識別プログラムは、取得した画像を解析して、キーワード、ユーザ特徴などを取得してよい、またはユーザが入力した声紋情報に従って解析を行って、ユーザ情報を取得してよい、または第三者装置（インテリジェント・ウェアラブル・デバイスなど）が送信し、通信モジュールで受信したユーザ情報を解析して、ユーザ特徴を取得してよい。
【０１７７】
さらに、メモリ83は、予め設定した条件をさらに格納してよく、予め設定した条件は、予め設定した生体情報、予め設定した制限シナリオ、予め設定した放射閾値、予め設定した信号閾値、予め設定した作業モードなどであってよい。
【０１７８】
プロセッサ82は、通信バス87を使用してモジュールやコンポーネントと通信する。モバイル端末上のアンテナを無効化または通信可能とする制御の間、通信モジュール86が、アンテナ81を使用してサービスのサービス信号を受信した場合、メモリ内のサービス識別プログラムに基づいて、プロセッサは、サービスを識別し、かつサービスのために通信可能とする必要があるアンテナの数を判定し、次いで、アンテナを通信可能とする／オフにする制御プログラムに基づいて、サービスのために通信可能とする必要があるアンテナの数となるようにモバイル端末の通信可能アンテナの数を制御する。
【０１７９】
場合により、ユーザがタッチスクリーンを用いて操作指示を入力した場合、サービス識別プログラムに基づいて、プロセッサは、サービスを識別し、かつサービスのために通信可能とする必要があるアンテナの数を判定し、次いで、アンテナを通信可能とする／オフにする制御プログラムに基づいて、サービスのために通信可能とする必要があるアンテナの数となるようにモバイル端末の通信可能アンテナの数を制御する。
【０１８０】
加えて、プロセッサ82は、さらに、通信バス87を用いてタッチスクリーン81を制御し、ユーザにサービスを開始するかどうかの判断を促し、ユーザに操作指示を入力するよう促してよい。
【０１８１】
さらに、プロセッサ82が取得した関連情報がモバイル端末の放射内のユーザである場合、プロセッサ82は、ユーザ特徴識別プログラムに基づいてユーザ情報を解析して、ユーザ特徴を取得し、ユーザ特徴をメモリ内の予め設定した生体情報と比較し、次いでアンテナを通信可能とする／オフにする制御プログラムに基づいて、ユーザ特徴に対応するアンテナの数となるようにモバイル端末の通信可能アンテナの数を制御し、ユーザ情報は、ユーザがマイクロホンを用いて入力した声紋情報、ユーザがカメラを用いて撮像した顔画像、または温度センサまたは湿度センサで感知したユーザの体温、皮膚湿度などであってもよいし、インテリジェント・ウェアラブル・デバイスによって感知し、通信モジュールで受信したユーザ情報、またはユーザからであり、タッチスクリーンで受信した操作指示であってもよい。
【０１８２】
あるいは、プロセッサ82は、さらに、関連情報識別プログラムに基づいて一部の関連情報を解析し、関連情報をメモリに格納された予め設定した条件と比較し、次いでアンテナを通信可能とする／オフにする制御プログラムに基づいて、関連情報に対応するアンテナの数となるようにモバイル端末の通信可能アンテナの数を制御し、関連情報は、モバイル端末が置かれるシナリオであってよく、シナリオは、カメラによる撮影画像から取得され、関連情報識別プログラムが、シナリオ画像内の内容、例えば、病院や空港などのキーワードを識別してよい、または関連情報は、パラメータ検出モジュールが取得したモバイル端末の信号強度、放射強度などである、または関連情報は、ユーザ設定管理モジュールで設定した作業モードであり、作業モードは、ユーザがタッチスクリーン851またはキーボード852によって入力した操作指示を用いて設定してよい。ユーザ設定管理モジュールは、さらに、通信バス87を用いてバッテリモジュールと通信し、残りの電気量が予め設定した閾値未満であると検出し、バッテリモジュールは、ユーザ設定管理モジュールに命令して、作業モードを節電モードに設定してよい。
【０１８３】
本実施形態では、モバイル端末は、受信したサービスの開始コマンドに従って、サービスのために通信可能とすべきアンテナの数を判定し、モバイル端末上の通信可能アンテナの数を柔軟に変更し、それによって、モバイル端末上の通信可能アンテナの数がサービスを実行するための要件を満たすことができない事態を防ぎ、不要なエネルギー損失を引き起こしモバイル端末の性能に影響を及ぼし、加えて、モバイル端末は、取得した関連情報に従って、通信可能のままとすべきアンテナの数をさらに判定し、モバイル端末上の通信可能アンテナの数を柔軟に変更してよく、それによって、モバイル端末上の通信可能アンテナの数が、周囲に悪影響を与えたり、モバイル端末の電気などのエネルギーを過度に早く消費してモバイル端末の性能に影響を及ぼしたりするのをさらに防ぐことができる。
【０１８４】
当業者であれば、各実施形態における各方法の各ステップの全部または一部を関連ハードウェアに命令するプログラムによって実現することができることを理解するはずである。プログラムは、コンピュータ可読記憶媒体に記憶することができる。プログラムが走ると、方法実施形態の各ステップが行われる。前述の記憶媒体は、ROM、RAM、磁気ディスク、または光ディスクなどのプログラムコードを記憶することのできる任意の媒体を含む。
【０１８５】
最後に、前述の実施形態は、本発明を限定するためのものではく、単に本発明の技術的解決策を説明するためのものに過ぎないことに留意されたい。本発明は前述の実施形態に関連して詳細に説明されているが、当業者は、本出願の実施形態の技術的解決策の範囲を逸脱することなく、さらに、前述の実施形態に記述されている技術的解決策に改変を加え、あるいは、前述の実施形態の一部の技術的特徴に対する均等な置換を行うことができることを理解するはずである。
【符号の説明】
【０１８６】
61  取得モジュール
62  判定モジュール
63  処理モジュール
64  提示モジュール
65  判断モジュール
71  取得モジュール
72  判定モジュール
73  処理モジュール
81  アンテナ
82  プロセッサ
83  メモリ
84  センサ
85  I／Oインターフェース
86  通信モジュール
87  通信バス
600  モバイル端末
700  モバイル端末
800  モバイル端末
851  タッチスクリーン
852  I／Oキーボード、キーボード
853  マイクロホン
854  カメラ
4021  オペレーティングシステム
4022  アプリケーションプログラム
【手続補正２】
【補正対象書類名】特許請求の範囲
【補正対象項目名】全文
【補正方法】変更
【補正の内容】
【特許請求の範囲】
【請求項１】
モバイル端末アンテナのための制御方法であって、
モバイル端末によって、サービスの開始コマンドを取得するステップと、
前記モバイル端末によって、前記開始コマンドに従って、前記サービスのために通信可能とする必要があるアンテナの数を判定するステップと、
前記モバイル端末によって、前記サービスのために通信可能とする必要があるアンテナの前記数となるように前記モバイル端末の通信可能アンテナの数を制御するステップと、
を含む、モバイル端末アンテナのための制御方法。
【請求項２】
モバイル端末によって、サービスの開始コマンドを取得する、前記ステップは、
前記モバイル端末によって、前記サービスのサービス信号を受信するステップであって、前記サービス信号は、前記開始コマンドである、ステップと、
前記モバイル端末によって、ユーザに前記サービスを開始するかどうかの判断を促すステップと、
前記モバイル端末が、予め設定した時間内に前記ユーザが入力した操作指示を受信しない場合、または前記モバイル端末が、前記ユーザが入力し、予め設定した時間内に受信した操作指示が、前記サービスを開始せよとの指示ではないと判定した場合、
前記モバイル端末によって、前記サービス信号を受信する前の数に復帰するように前記モバイル端末の通信可能アンテナの前記数を制御するステップと、
を含む、請求項1に記載の制御方法。
【請求項３】
モバイル端末によって、サービスの開始コマンドを取得する、前記ステップは、
前記モバイル端末によって、前記サービスのサービス信号を受信するステップと、
前記モバイル端末によって、ユーザに前記サービスを開始するかどうかの判断を促すステップと、
前記モバイル端末によって、前記ユーザが入力した操作指示を受信するステップと、
前記モバイル端末が、前記操作指示が前記サービスを開始せよとの指示であると判定した場合、前記操作指示を前記開始コマンドとして使用する、ステップと、
を含む、請求項1に記載の制御方法。
【請求項４】
モバイル端末によって、サービスの開始コマンドを取得する、前記ステップは、
前記モバイル端末によって、前記サービスに関連し、かつユーザが入力した操作指示を受信するステップであって、前記サービスに関連する前記操作指示は、前記開始コマンドである、ステップ
を含む、請求項1に記載の制御方法。
【請求項５】
前記モバイル端末によって、前記ユーザに続く操作指示の入力を促すステップと、
前記モバイル端末が、予め設定した時間内に前記ユーザが入力した前記続く操作指示を受信しない場合、または前記モバイル端末が、前記予め設定した時間内に受信した続く操作指示が、前記サービスを開始せよとの指示ではないと判定した場合、
前記モバイル端末によって、サービス信号を受信する前の数に復帰するように前記モバイル端末の通信可能アンテナの前記数を制御するステップと、
をさらに含む、請求項4に記載の制御方法。
【請求項６】
モバイル端末によって、サービスの開始コマンドを取得する、前記ステップは、
前記モバイル端末によって、前記サービスに関連し、かつユーザが入力した操作指示を受信するステップと、
前記モバイル端末によって、前記サービスに関連する前記操作指示に従って、前記ユーザに続く操作指示の入力を促すステップと、
前記モバイル端末によって、前記サービスを開始せよとの続く操作指示を受信し、次いで、前記サービスを開始せよとの前記続く操作指示を前記開始コマンドとして使用する、ステップと、
を含む、請求項1に記載の制御方法。
【請求項７】
モバイル端末アンテナのための制御方法であって、
モバイル端末によって、関連情報を取得するステップであって、前記関連情報は、以下の情報、すなわち、前記モバイル端末に関連する環境情報と、前記モバイル端末の関連パラメータと、前記モバイル端末の現在の作業モードとのうちの少なくともいずれかを含む、ステップと、
前記モバイル端末によって、前記関連情報に従って、通信可能のままとすべきアンテナの数を判定するステップと、
前記モバイル端末によって、前記関連情報に対応するアンテナの前記数となるように前記モバイル端末の通信可能アンテナの数を制御するステップと、
を含む、モバイル端末アンテナのための制御方法。
【請求項８】
前記モバイル端末によって、前記関連情報に従って、通信可能のままとすべきアンテナの数を判定する、前記ステップの前に、
前記モバイル端末によって、前記関連情報を予め設定した条件と比較し、前記関連情報が前記予め設定した条件を満たすかどうかを判定する、ステップであって、
前記関連情報が、前記端末に関連する前記環境情報であり、前記環境情報が、前記モバイル端末の放射内のユーザである場合、前記予め設定した条件は、予め設定した生体情報であり、
前記環境情報が、前記モバイル端末が置かれるシナリオである場合、前記予め設定した条件は、予め設定した制限シナリオであり、
前記関連情報が、前記端末の前記関連パラメータであり、前記関連パラメータが、前記モバイル端末の放射強度である場合、前記予め設定した条件は、予め設定した放射閾値よりも大きく、
前記関連パラメータが、前記モバイル端末の信号強度である場合、前記予め設定した条件は、予め設定した信号閾値未満であり、
前記関連パラメータが、前記モバイル端末の前記現在の作業モードである場合、前記予め設定した条件は、予め設定した作業モードである、
ステップをさらに含む、請求項7に記載の制御方法。
【請求項９】
前記環境情報が、前記モバイル端末の前記放射内の前記ユーザである場合、前記制御方法は、
前記モバイル端末によって、第三者装置が送信したユーザ特徴を前記予め設定した生体情報と比較し、前記第三者装置が送信した前記ユーザ特徴が、前記予め設定した生体情報を満たすかどうかを判定する、ステップ、または
前記モバイル端末によって、前記ユーザが入力した操作指示または取得したユーザ情報を解析して、ユーザ特徴を取得する、ステップと、
前記モバイル端末によって、前記ユーザ特徴を前記予め設定した生体情報と比較し、前記ユーザ特徴が、前記予め設定した生体情報を満たすかどうかを判定する、ステップであって、前記ユーザ情報が、前記ユーザによって入力される、または第三者装置によって送信される、ステップと、
前記ユーザ特徴が、前記予め設定した生体情報を満たす場合、前記モバイル端末によって、前記関連情報に従って、通信可能のままとすべきアンテナの前記数を判定するステップと、
をさらに含む、請求項8に記載の制御方法。
【請求項１０】
前記環境情報が、前記モバイル端末が置かれる前記シナリオである場合、前記制御方法は、
前記モバイル端末によって、シナリオ情報を前記予め設定した制限シナリオと比較し、前記シナリオ情報が前記予め設定した制限シナリオを満たすかどうかを判定する、ステップであって、
前記シナリオ情報は、前記モバイル端末上のセンサまたはカメラを用いて取得される、ステップと、
前記シナリオ情報が、前記予め設定した制限シナリオを満たす場合、前記モバイル端末によって、前記関連情報に従って、通信可能のままとすべきアンテナの前記数を判定するステップと、
を含む、請求項8に記載の制御方法。
【請求項１１】
前記関連パラメータが、前記モバイル端末の前記放射強度である場合、前記制御方法は、
前記モバイル端末によって、前記モバイル端末の検出される放射強度を前記予め設定した放射閾値と比較し、前記モバイル端末の前記放射強度が、前記予め設定した放射閾値よりも大きいかどうかを判定する、ステップと、
前記モバイル端末の前記放射強度が、前記予め設定した放射閾値よりも大きい場合、前記モバイル端末によって、前記関連情報に従って、通信可能のままとすべきアンテナの前記数を判定するステップ
をさらに含む、または
前記関連パラメータが、前記モバイル端末の前記信号強度である場合、前記制御方法は、
前記モバイル端末によって、前記モバイル端末の検出される信号強度を前記予め設定した信号閾値と比較し、前記モバイル端末の前記信号強度が、前記予め設定した信号閾値未満であるかどうかを判定する、ステップと、
前記モバイル端末の前記放射強度が、前記予め設定した放射閾値よりも大きい場合、前記モバイル端末によって、前記関連情報に従って、通信可能のままとすべきアンテナの前記数を判定するステップと、
をさらに含む、請求項8に記載の制御方法。
【請求項１２】
前記関連パラメータが、前記モバイル端末の前記現在の作業モードである場合、前記制御方法は、
前記モバイル端末によって、前記モバイル端末の前記現在の作業モードを前記予め設定した動作モードと比較し、前記現在の作業モードが前記予め設定した作業モードを満たすかどうかを判定する、ステップであって、前記現在の作業モードは、前記ユーザによって設定される、または前記モバイル端末の残りの電気量が予め設定した電気量閾値未満であると前記モバイル端末が検出した場合に前記モバイル端末によって設定される、ステップと、
前記モバイル端末の前記現在の作業モードが、前記予め設定した現在の作業モードを満たす場合、前記モバイル端末によって、前記関連情報に従って、通信可能のままとすべきアンテナの前記数を判定するステップと、
をさらに含む、請求項8に記載の制御方法。
【請求項１３】
モバイル端末であって、
サービスの開始コマンドを取得するように構成される取得モジュールと、
前記開始コマンドに従って、前記サービスのために通信可能とする必要があるアンテナの数を判定するように構成される判定モジュールと、
前記サービスのために通信可能とする必要があるアンテナの前記数となるように前記モバイル端末の通信可能アンテナの数を制御するように構成される処理モジュールと、
を備える、モバイル端末。
【請求項１４】
前記取得モジュールが、前記サービスのサービス信号を受信するように特に構成され、前記サービス信号は、前記開始コマンドであり、前記モバイル端末は、提示モジュールと判断モジュールとをさらに備え、
前記提示モジュールは、ユーザに前記サービスを開始するかどうかの判断を促すように構成され、
予め設定した時間内に前記ユーザが入力した操作指示を前記取得モジュールが受信していないと前記判断モジュールが判定した場合、または前記ユーザが入力し、前記予め設定した時間内に前記取得モジュールが受信した操作指示が、前記サービスを開始せよとの指示ではないと前記判断モジュールが判定した場合、
前記処理モジュールは、前記サービス信号を受信する前の数に復帰するように前記モバイル端末の通信可能アンテナの前記数を制御する、請求項13に記載のモバイル端末。
【請求項１５】
提示モジュールと判断モジュールとをさらに備え、
前記取得モジュールは、前記サービスのサービス信号を受信するようにさらに構成され、
前記提示モジュールは、ユーザに前記サービスを開始するかどうかの判断を促すように構成され、
前記取得モジュールは、前記ユーザが入力した操作指示を受信するように構成され、
前記判断モジュールは、前記操作指示が前記サービスを開始せよとの指示であるかどうかを判定するように構成され、次いで、前記取得モジュールは、前記操作指示を前記開始コマンドとして使用するように特に構成される、請求項13に記載のモバイル端末。
【請求項１６】
前記取得モジュールは、
前記サービスに関連し、かつユーザが入力した操作指示を受信するように特に構成され、前記サービスに関連する前記操作指示は、前記開始コマンドである、請求項13に記載のモバイル端末。
【請求項１７】
提示モジュールと判断モジュールとをさらに備え、
前記提示モジュールは、前記ユーザに続く操作指示の入力を促すように構成され、
予め設定した時間内に前記ユーザが入力した続く操作指示を前記取得モジュールが受信していないと前記判断モジュールが判定した場合、または前記ユーザが入力し、前記予め設定した時間内に続く前記取得モジュールが受信した操作指示が、前記サービスを開始せよとの指示ではないと前記判断モジュールが判定した場合、
前記処理モジュールは、サービス信号を受信する前の数に復帰するように前記モバイル端末の通信可能アンテナの前記数を制御するように構成される、請求項16に記載のモバイル端末。
【請求項１８】
提示モジュールと判断モジュールとをさらに備え、
前記取得モジュールは、前記サービスに関連し、かつユーザが入力した操作指示を受信し、
前記提示モジュールは、前記サービスに関連する前記操作指示に従って、前記ユーザに続く操作指示の入力を促し、
前記判断モジュールは、前記サービスを開始せよとの続く操作指示を前記取得モジュールが受信し、次いで、前記取得モジュールは、前記サービスを開始せよとの前記続く操作指示を前記開始コマンドとして使用すると判定する、請求項13に記載のモバイル端末。
【請求項１９】
モバイル端末であって、
関連情報を取得するように構成される取得モジュールであって、前記関連情報は、以下の情報、すなわち、前記モバイル端末に関連する環境情報と、前記モバイル端末の関連パラメータと、前記モバイル端末の現在の作業モードとのうちの少なくともいずれかである、取得モジュールと、
前記関連情報に従って、通信可能のままとすべきアンテナの数を判定するように構成される判定モジュールと、
前記関連情報に対応するアンテナの前記数となるように前記モバイル端末の通信可能アンテナの数を制御するように構成される処理モジュールと、
を備える、モバイル端末。
【請求項２０】
前記判定モジュールは、前記関連情報を予め設定した条件と比較し、前記関連情報が、前記予め設定した条件を満たすかどうかを判定するようにさらに構成され、
前記関連情報が、前記端末に関連する前記環境情報であり、前記環境情報が、前記モバイル端末の放射内のユーザである場合、前記予め設定した条件は、予め設定した生体情報であり、
前記環境情報が、前記モバイル端末が置かれるシナリオである場合、前記予め設定した条件は、予め設定した制限シナリオであり、
前記関連情報が、前記端末の前記関連パラメータであり、前記関連パラメータが、前記モバイル端末の放射強度である場合、前記予め設定した条件は、予め設定した放射閾値よりも大きく、
前記関連パラメータが、前記モバイル端末の信号強度である場合、前記予め設定した条件は、予め設定した信号閾値未満であり、
前記関連パラメータが、前記モバイル端末の現在の前記作業モードである場合、前記予め設定した条件は、予め設定した作業モードである、請求項19に記載のモバイル端末。
【請求項２１】
前記環境情報が、前記モバイル端末の放射内のユーザである場合、前記判定モジュールは、
第三者装置が送信したユーザ特徴を前記予め設定した生体情報と比較し、前記第三者装置が送信した前記ユーザ特徴が、前記予め設定した生体情報を満たすかどうかを判定するように特に構成される、または
前記取得モジュールは、前記ユーザが入力した操作指示または取得したユーザ情報を解析して、ユーザ特徴を取得するようにさらに構成され、
前記判定モジュールは、前記ユーザ特徴を前記予め設定した生体情報と比較し、前記ユーザ特徴が、前記予め設定した生体情報を満たすかどうかを判定するようにさらに構成され、前記ユーザ情報が、前記ユーザによって入力される、または第三者装置によって送信され、
前記ユーザ特徴が、前記予め設定した生体情報を満たす場合、前記処理モジュールは、前記関連情報に従って、通信可能のままとすべきアンテナの前記数を判定するように構成される、請求項20に記載のモバイル端末。
【請求項２２】
前記環境情報が、前記モバイル端末が置かれる前記シナリオである場合、前記判定モジュールは、シナリオ情報を前記予め設定した制限シナリオと比較し、前記シナリオ情報が前記予め設定した制限シナリオを満たすかどうか判定するように特に構成され、
前記シナリオ情報は、前記モバイル端末上のセンサまたはカメラを用いて取得され、
前記シナリオ情報が、前記予め設定した制限シナリオを満たす場合、前記処理モジュールは、前記関連情報に従って、通信可能のままとすべきアンテナの前記数を判定するように構成される、請求項20に記載のモバイル端末。
【請求項２３】
前記関連パラメータが、前記モバイル端末の前記放射強度である場合、前記判定モジュールは、前記モバイル端末の検出される放射強度を前記予め設定した放射閾値と比較し、前記モバイル端末の前記放射強度が、前記予め設定した放射閾値よりも大きいかどうかを判定するように特に構成され、
前記モバイル端末の前記放射強度が、前記予め設定した放射閾値よりも大きい場合、前記処理モジュールは、前記関連情報に従って、通信可能のままとすべきアンテナの前記数を判定するように構成され、
前記関連パラメータが、前記モバイル端末の前記信号強度である場合、前記判定モジュールは、前記モバイル端末の検出される信号強度を前記予め設定した信号閾値と比較し、前記モバイル端末の前記信号強度が、前記予め設定した信号閾値未満であるかどうかを判定するように特に構成され、
前記モバイル端末の前記放射強度が、前記予め設定した放射閾値よりも大きい場合、前記処理モジュールは、前記関連情報に従って、通信可能のままとすべきアンテナの前記数を判定するように構成される、請求項20に記載のモバイル端末。
【請求項２４】
前記関連パラメータが、前記モバイル端末の前記現在の作業モードである場合、前記判定モジュールは、前記モバイル端末の前記現在の作業モードを前記作業モードと比較し、前記現在の作業モードが前記予め設定した作業モードを満たすかどうかを判定し、前記現在の作業モードは、前記ユーザによって設定される、または前記モバイル端末の残りの電気量が予め設定した電気量閾値未満であると前記モバイル端末が検出した場合に前記モバイル端末によって設定され、
前記モバイル端末の前記現在の作業モードが、前記予め設定した現在の作業モードを満たす場合、前記処理モジュールは、前記関連情報に従って、通信可能のままとすべきアンテナの前記数を判定するように構成される、請求項20に記載のモバイル端末。
【国際調査報告】
2017529808.tif 000015
2017529808.tif 000016
2017529808.tif 000017
2017529808.tif 000018
2017529808.tif 000019
2017529808.tif 000020